(57)【要約】【課題】  不正な扉の開放を検出する。【解決手段】  カム１６１が回転するとき、穴１６１ｂより接続部１７３の凸部１７３ａを介して回転を接続部１７３に伝達する。これに応じて、接続部１７３が軸を中心として回転し、遮光部１７３ｃが鍵の回転に伴って、開錠センサ１７４ｂ、または、リセットセンサ１７４ｃの溝に入り込むことにより、その溝に設けられた発光部から発せられる光を遮光して、受光部１９２により光を検出できない状態とする。このとき、開錠センサ１７４ｂ、または、リセットセンサ１７４ｃの受光部１９２は、光を検出できないので、開錠操作がなされた、または、リセット操作がなされたとみなし、開錠検出信号、または、リセット信号を検出する。開錠検出信号が検出されない状態のとき、扉が開放されていることが検出されれば、不正開放であるとみなし、不正開放信号が送信される。【選択図】  図１３
2005296036.tif 000002
【特許請求の範囲】
【請求項１】
扉の錠の開錠操作を検出する開錠検出手段と、
前記扉の開閉を検出する開閉検出手段と、
前記開錠検出手段の開錠操作検出結果と、前記開閉検出手段の開閉検出結果とに基づいて、前記扉の不正な開放を検出する扉不正開放検出手段と、
前記扉不正開放検出手段により前記扉の不正な開放が検出された場合、前記扉の不正な開放が発生したことを示す情報をネットワークを介して、複数の監視装置の監視状況を管理する情報処理装置に送信する送信手段と
を備えることを特徴とする監視装置。
【請求項２】
前記扉の錠は、鍵をシリンダに挿入し、挿入方向を回転軸として所定の方向に回転させる操作により開錠され、前記開錠検出手段は、前記鍵の前記所定の方向への回転を検出して、前記扉の錠の開錠操作を検出する
ことを特徴とする請求項１に記載の監視装置。
【請求項３】
前記開錠検出手段は、フォトセンサにより前記鍵の前記所定の方向への回転を検出して、前記扉の錠の開錠操作を検出する
ことを特徴とする請求項２に記載の監視装置。
【請求項４】
前記扉不正開放検出手段は、前記開錠検出手段の開錠操作検出結果と、前記開閉検出手段の開閉検出結果とに基づいて、前記開錠操作検出結果が開錠操作を検出しないで、かつ、前記開閉検出結果が前記扉の開放を検出した場合、前記扉の不正な開放を検出する
ことを特徴とする請求項１に記載の監視装置。
【請求項５】
前記送信手段は、前記扉不正開放検出手段により前記扉の不正な開放が検出された場合、前記扉の不正な開放が発生したことを示す情報と共に、自らの位置を示す情報をネットワークを介して、複数の前記監視装置の監視状況を管理する情報処理装置に送信する
ことを特徴とする請求項１に記載の監視装置。
【請求項６】
扉の錠の開錠操作を検出する開錠検出ステップと、
前記扉の開閉を検出する開閉検出ステップと、
前記開錠検出ステップの処理での開錠操作検出結果と、前記開閉検出ステップの処理での前記開閉検出結果とに基づいて、前記扉の不正な開放を検出する扉不正開放検出ステップと、
前記扉不正開放検出ステップの処理で前記扉の不正な開放が検出された場合、前記扉の不正な開放が発生したことを示す情報をネットワークを介して、複数の監視装置の監視状況を管理する情報処理装置に送信する送信ステップと
を含むことを特徴とする監視方法。
【請求項７】
扉の錠の開錠操作の検出を制御する開錠検出制御ステップと、
前記扉の開閉の検出を制御する開閉検出制御ステップと、
前記開錠検出制御ステップの処理での開錠操作検出結果と、前記開閉検出制御ステップの処理での前記開閉検出結果とに基づいて、前記扉の不正な開放の検出を制御する扉不正開放検出制御ステップと、
前記扉不正開放検出制御ステップの処理で前記扉の不正な開放が検出された場合、前記扉の不正な開放が発生したことを示す情報をネットワークを介して、複数の監視装置の監視状況を管理する情報処理装置への送信を制御する送信制御ステップと
を含むことを特徴とするコンピュータが読み取り可能なプログラムが記録されている記録媒体。
【請求項８】
扉の錠の開錠操作の検出を制御する開錠検出制御ステップと、
前記扉の開閉の検出を制御する開閉検出制御ステップと、
前記開錠検出制御ステップの処理での開錠操作検出結果と、前記開閉検出制御ステップの処理での前記開閉検出結果とに基づいて、前記扉の不正な開放の検出を制御する扉不正開放検出制御ステップと、
前記扉不正開放検出制御ステップの処理で前記扉の不正な開放が検出された場合、前記扉の不正な開放が発生したことを示す情報をネットワークを介して、複数の監視装置の監視状況を管理する情報処理装置への送信を制御する送信制御ステップと
を含む処理をコンピュータに実行させることを特徴とするプログラム。
【請求項９】
監視装置より送信されてくる、開錠操作検出結果と開閉検出結果とに基づいて、扉の不正な開放を示す情報を受信する受信手段と、
前記受信手段により受信された、前記扉の不正な開放の検出を示す情報に基づいて、前記監視装置における前記扉の不正な開放の検出を示す情報を提示する提示手段と
を備えることを特徴とする情報処理装置。
【請求項１０】
前記受信手段は、前記監視装置より送信されてくる、前記開錠操作検出結果と前記開閉検出結果とに基づいて、扉の不正な開放を示す情報と共に、前記監視装置の位置を示す情報を受信し、
前記提示手段は、前記受信手段により受信された、前記扉の不正な開放の検出を示す情報に基づいて、前記監視装置における前記扉の不正な開放の検出を示す情報と、前記監視装置の位置を提示する
ことを特徴とする請求項９に記載の情報処理装置。
【請求項１１】
前記提示手段は、前記受信手段により受信された、前記扉の不正な開放を示す情報に基づいて、前記監視装置における前記扉の不正な開放の検出を示す情報を音声により提示する
ことを特徴とする請求項９に記載の情報処理装置。
【請求項１２】
前記提示手段は、前記受信手段により受信された、前記扉の不正な開放を示す情報に基づいて、前記監視装置におおける前記扉の不正な開放の検出を示す情報を表示する画像を生成し、前記画像を表示することにより提示する
ことを特徴とする請求項９に記載の情報処理装置。
【請求項１３】
前記受信手段は、前記監視装置より送信されてくる、前記開錠操作検出結果と前記開閉検出結果とに基づいて、扉の不正な開放の検出を示す情報と共に、前記監視装置の位置を示す情報を受信し、
前記提示手段は、前記受信手段により受信された、前記扉の不正な開放の検出を示す情報に基づいて、前記監視装置における前記扉の不正な開放の検出を示す情報と、前記監視装置の位置を表示する画像を生成し、前記画像を表示することにより提示する
ことを特徴とする請求項１２に記載の情報処理装置。
【請求項１４】
監視装置より送信されてくる、開錠操作検出結果と開閉検出結果とに基づいて、扉の不正な開放を示す情報を受信する受信ステップと、
前記受信ステップの処理で受信された、前記扉の不正な開放を示す情報に基づいて、前記監視装置において、前記扉の不正な開放を示す情報を提示する提示ステップと
を含むことを特徴とする情報処理方法。
【請求項１５】
監視装置より送信されてくる、開錠操作検出結果と開閉検出結果とに基づいて、扉の不正な開放を示す情報の受信を制御する受信制御ステップと、
前記受信制御ステップの処理で受信された、前記扉の不正な開放を示す情報に基づいて、前記監視装置において、前記扉の不正な開放を示す情報の提示を制御する提示制御ステップと
を含むことを特徴とするコンピュータが読み取り可能なプログラムが記録されている記録媒体。
【請求項１６】
監視装置より送信されてくる、開錠操作検出結果と開閉検出結果とに基づいて、扉の不正な開放を示す情報の受信を制御する受信制御ステップと、
前記受信制御ステップの処理で受信された、前記扉の不正な開放を示す情報に基づいて、前記監視装置において、前記扉の不正な開放を示す情報の提示を制御する提示制御ステップと
を含む処理をコンピュータに実行させることを特徴とするプログラム。
【請求項１７】
監視装置と、前記監視装置の監視状況を管理する情報処理装置からなる監視システムにおいて、
前記監視装置は、
扉の錠の開錠操作を検出する開錠検出手段と、
前記扉の開閉を検出する開閉検出手段と、
前記開錠検出手段の開錠操作検出結果と、前記開閉検出手段の開閉検出結果とに基づいて、前記扉の不正な開放を検出する扉不正開放検出手段と、
前記扉不正開放検出手段により前記扉の不正な開放が検出された場合、前記扉の不正な開放が発生したことを示す情報をネットワークを介して、複数の監視装置の監視状況を管理する前記情報処理装置に送信する送信手段と
を備え、
前記情報処理装置は、
前記監視装置より送信されてくる、開錠操作検出結果と開閉検出結果とに基づいて、扉の不正な開放を示す情報を受信する受信手段と、
前記受信手段により受信された、前記扉の不正な開放を示す情報に基づいて、前記監視装置における前記扉の不正な開放の検出を示す情報を提示する提示手段と
を備える
ことを特徴とする監視システム。
【請求項１８】
遊技動作を制御する遊技動作制御手段と、
扉の錠の開錠操作を検出する開錠検出手段と、
前記扉の開閉を検出する開閉検出手段と、
前記開錠検出手段の開錠操作検出結果と、前記開閉検出手段の開閉検出結果とに基づいて、前記扉の不正な開放を検出する扉不正開放検出手段と、
前記扉不正開放検出手段により前記扉の不正な開放が検出された場合、前記扉の不正な開放が発生したことを示す情報をネットワークを介して、複数の監視装置の監視状況を管理する情報処理装置に送信する送信手段とを備え、
前記扉不正開放検出手段により前記扉の不正な開放が検出された場合、前記遊技動作制御手段は、遊技動作を停止するように制御する
ことを特徴とする遊技機。
【請求項１９】
前記扉の錠は、鍵をシリンダに挿入し、挿入方向を回転軸として所定の方向へ回転させる操作により開錠され、前記開錠検出手段は、前記鍵の前記所定の方向への回転を検出して、前記扉の錠の開錠操作を検出する
ことを特徴とする請求項１８に記載の遊技機。
【請求項２０】
前記開錠検出手段は、フォトセンサにより前記鍵の前記所定の方向への回転を検出して、前記扉の錠の開錠操作を検出する
ことを特徴とする請求項１９に記載の遊技機。
【請求項２１】
前記開錠検出手段は、扉の錠の開錠操作に加えて、遊技動作のリセット操作を検出する
ことを特徴とする請求項１８に記載の遊技機。
【請求項２２】
前記扉不正開放検出手段により前記扉の不正な開放が検出され、前記遊技動作が停止されるように制御された後、前記開錠検出手段により前記リセット操作が検出された場合、前記遊技動作制御手段は、前記遊技動作を再開させる
ことを特徴とする請求項２１に記載の遊技機。
【請求項２３】
前記扉の錠は、鍵をシリンダに挿入し、挿入方向を回転軸として所定の方向に回転させる操作により、リセット操作を実行させ、前記開錠検出手段は、前記鍵の前記所定の方向への回転を検出して、前記扉の錠のリセット操作を検出する
ことを特徴とする請求項２１に記載の遊技機。
【請求項２４】
前記開錠検出手段は、フォトセンサにより前記鍵の前記所定の方向への回転を検出して、前記扉の錠のリセット操作を検出する
ことを特徴とする請求項２３に記載の遊技機。
【請求項２５】
前記送信手段は、前記開錠検出手段が、遊技動作のリセット操作を検出した場合、前記リセット操作が検出されたことを示す情報と共に、自らの位置を示す情報をネットワークを介して、複数の前記遊技機の監視状況を管理する情報処理装置に送信する
ことを特徴とする請求項２１に記載の遊技機。
【請求項２６】
前記扉不正開放検出手段は、前記開錠検出手段の開錠操作検出結果と、前記開閉検出手段の開閉検出結果とに基づいて、前記開錠操作検出結果が開錠操作を検出しないで、かつ、前記開閉検出結果が前記扉の開放を検出した場合、前記扉の不正な開放を検出し、前記遊技動作制御手段は、前記遊技動作を停止するように制御する
ことを特徴とする請求項１８に記載の遊技機。
【請求項２７】
前記送信手段は、前記扉不正開放検出手段により前記扉の不正な開放が検出された場合、前記扉の不正な開放が発生したことを示す情報と共に、自らの位置を示す情報をネットワークを介して、複数の前記遊技機の監視状況を管理する情報処理装置に送信する
ことを特徴とする請求項１８に記載の遊技機。
【請求項２８】
遊技動作を制御する遊技動作制御ステップと、
扉の錠の開錠操作を検出する開錠検出ステップと、
前記扉の開閉を検出する開閉検出ステップと、
前記開錠検出ステップの処理での開錠操作検出結果と、前記開閉検出ステップの処理での開閉検出結果とに基づいて、前記扉の不正な開放を検出する扉不正開放検出ステップと、
前記扉不正開放検出ステップの処理で前記扉の不正な開放が検出された場合、前記扉の不正な開放が発生したことを示す情報をネットワークを介して、複数の監視装置の監視状況を管理する情報処理装置に送信する送信ステップを含み、
前記扉不正開放検出ステップの処理で前記扉の不正な開放が検出された場合、前記遊技動作制御ステップの処理は、遊技動作を停止するように制御する
ことを特徴とする遊技機の動作方法。
【請求項２９】
遊技動作を制御する遊技動作制御ステップと、
扉の錠の開錠操作の検出を制御する開錠検出制御ステップと、
前記扉の開閉の検出を制御する開閉検出制御ステップと、
前記開錠検出制御ステップの処理での開錠操作検出結果と、前記開閉検出制御ステップの処理での開閉検出結果とに基づいて、前記扉の不正な開放の検出を制御する扉不正開放検出制御ステップと、
前記扉不正開放検出制御ステップの処理で前記扉の不正な開放が検出された場合、前記扉の不正な開放が発生したことを示す情報をネットワークを介した、複数の監視装置の監視状況を管理する情報処理装置への送信を制御する送信制御ステップを含み、
前記扉不正開放検出制御ステップの処理で前記扉の不正な開放が検出された場合、前記遊技動作制御ステップの処理は、遊技動作を停止するように制御する
ことを特徴とするコンピュータが読み取り可能なプログラムが記録されている記録媒体。
【請求項３０】
遊技動作を制御する遊技動作制御ステップと、
扉の錠の開錠操作の検出を制御する開錠検出制御ステップと、
前記扉の開閉の検出を制御する開閉検出制御ステップと、
前記開錠検出制御ステップの処理での開錠操作検出結果と、前記開閉検出制御ステップの処理での開閉検出結果とに基づいて、前記扉の不正な開放の検出を制御する扉不正開放検出制御ステップと、
前記扉不正開放検出制御ステップの処理で前記扉の不正な開放が検出された場合、前記扉の不正な開放が発生したことを示す情報をネットワークを介した、複数の監視装置の監視状況を管理する情報処理装置への送信を制御する送信制御ステップを含む処理をコンピュータに実行させ、
前記扉不正開放検出制御ステップの処理で前記扉の不正な開放が検出された場合、前記遊技動作制御ステップの処理は、遊技動作を停止するように制御する
ことを特徴とするプログラム。
【請求項３１】
遊技機より送信されてくる、開錠操作検出結果と開閉検出結果とに基づいて、扉の不正な開放を示す情報を受信する受信手段と、
前記受信手段により受信された、前記扉の不正な開放を示す情報に基づいて、前記遊技機における前記扉の不正な開放の検出を示す情報を提示する提示手段と
を備えることを特徴とする情報処理装置。
【請求項３２】
前記受信手段は、前記遊技機より送信されてくる、前記開錠操作検出結果と前記開閉検出結果とに基づいて、扉の不正な開放の検出を示す情報と共に、前記遊技機の位置を示す情報を受信し、
前記提示手段は、前記受信手段により受信された、前記扉の不正な開放の検出を示す情報に基づいて、前記遊技機における前記扉の不正な開放の検出を示す情報と、前記遊技機の位置を提示する
ことを特徴とする請求項３１に記載の情報処理装置。
【請求項３３】
前記提示手段は、前記受信手段により受信された、前記扉の不正な開放の検出を示す情報に基づいて、前記遊技機における前記扉の不正な開放の検出を示す情報を音声により提示する
ことを特徴とする請求項３１に記載の情報処理装置。
【請求項３４】
前記提示手段は、前記受信手段により受信された、前記扉の不正な開放の検出を示す情報に基づいて、前記遊技機における前記扉の不正な開放の検出を示す情報を表示する画像を生成し、前記画像を表示することにより提示する
ことを特徴とする請求項３１に記載の情報処理装置。
【請求項３５】
前記受信手段は、前記遊技機より送信されてくる、前記開錠操作検出結果と前記開閉検出結果とに基づいて、扉の不正な開放の検出を示す情報と共に、前記遊技機の位置を示す情報を受信し、
前記提示手段は、前記受信手段により受信された、前記扉の不正な開放の検出を示す情報に基づいて、前記遊技機における前記扉の不正な開放の検出を示す情報と、前記遊技機の位置を表示する画像を生成し、前記画像を表示することにより提示する
ことを特徴とする請求項３４に記載の情報処理装置。
【請求項３６】
前記受信手段は、前記遊技機より送信されてくる、開錠操作検出結果と開閉検出結果とに基づいて、扉の不正な開放の検出を示す情報に加えて、リセット操作が実行されたことを示す情報を受信し、
前記提示手段は、前記受信手段により受信された前記扉の不正な開放の検出を示す情報に基づいて、前記遊技機における前記扉の不正な開放の検出を示す情報を提示した後、前記受信手段により前記遊技機よりリセット操作が実行されたことを示す情報を受信したとき、前記前記扉の不正な開放を示す情報の提示を終了させる
ことを特徴とする請求項３１に記載の情報処理装置。
【請求項３７】
遊技機より送信されてくる、開錠操作検出結果と開閉検出結果とに基づいて、扉の不正な開放を示す情報を受信する受信ステップと、
前記受信ステップの処理で受信された、前記扉の不正な開放の検出を示す情報に基づいて、前記遊技機における前記扉の不正な開放の検出を示す情報を提示する提示ステップと
を含むことを特徴とする情報処理方法。
【請求項３８】
遊技機より送信されてくる、開錠操作検出結果と開閉検出結果とに基づいて、扉の不正な開放を示す情報の受信を制御する受信制御ステップと、
前記受信制御ステップの処理で受信された、前記扉の不正な開放の検出を示す情報に基づいて、前記遊技機における前記扉の不正な開放の検出を示す情報の提示を制御する提示制御ステップと
を含むことを特徴とするコンピュータが読み取り可能なプログラムが記録されている記録媒体。
【請求項３９】
遊技機より送信されてくる、開錠操作検出結果と開閉検出結果とに基づいて、扉の不正な開放を示す情報の受信を制御する受信制御ステップと、
前記受信制御ステップの処理で受信された、前記扉の不正な開放の検出を示す情報に基づいて、前記遊技機における前記扉の不正な開放の検出を示す情報の提示を制御する提示制御ステップと
を含む処理をコンピュータに実行させることを特徴とするプログラム。
【請求項４０】
遊技機と、前記遊技機の監視状況を管理する情報処理装置からなる監視システムにおいて、
前記遊技機は、
遊技動作を制御する遊技動作制御手段と、
扉の錠の開錠操作を検出する開錠検出手段と、
前記扉の開閉を検出する開閉検出手段と、
前記開錠検出手段の開錠操作検出結果と、前記開閉検出手段の開閉検出結果とに基づいて、前記扉の不正な開放を検出する扉不正開放検出手段と、
前記扉不正開放検出手段により前記扉の不正な開放が検出された場合、前記扉の不正な開放が発生したことを示す情報をネットワークを介して、複数の前記遊技機の監視状況を管理する前記情報処理装置に送信する送信手段と
を備え、
前記扉不正開放検出手段により前記扉の不正な開放が検出された場合、前記遊技動作制御手段は、遊技動作を停止するように制御し、
前記情報処理装置は、
前記遊技機より送信されてくる、開錠操作検出結果と開閉検出結果とに基づいて、扉の不正な開放を示す情報を受信する受信手段と、
前記受信手段により受信された、前記扉の不正な開放の検出を示す情報に基づいて、前記遊技機における前記扉の不正な開放の検出を示す情報を提示する提示手段と
を備える
ことを特徴とする監視システム。
【発明の詳細な説明】
【技術分野】
【０００１】
本発明は、監視装置および方法、遊技機および遊技機の動作方法、情報処理装置および方法、監視システム、記録媒体、並びにプログラムに関し、特に、扉の不正な開放を監視するようにした監視装置および方法、遊技機および遊技機の動作方法、情報処理装置および方法、監視システム、記録媒体、並びにプログラムに関する。
【背景技術】
【０００２】
パチンコ台やパチスロ台に代表される遊技機が一般に普及している。
【０００３】
遊技機は、筐体の前面に設けられた扉を開放することにより、遊技機の筐体内部の保守や点検のみならず、いわゆる、出玉または獲得メダルの当選確率を設定するための操作ができる構成となっている。
【０００４】
一般にこの扉は、扉の右部、または、左部が筐体に蝶番で係合され、手前から左方向、または、右方向に回動することで扉が開く構成となっており、さらに、扉の蝶番に対向する辺部に錠が設けられ、遊技機を管理する、いわゆるホール係員が鍵を使用して必要に応じて開錠して、扉を開き、所定の作業が終了した後、扉が閉じられるようになされている。
【０００５】
しかしながら、近年、遊技者が、ホール係員の目を盗み、正規の鍵を利用することなく遊技機の扉を不正に開放し、内部の出玉または獲得メダルの当選確率の設定を操作することで、不正に当たり確立を変更するといった行為がなされてしまうといった問題があった。
【０００６】
このような問題に対応すべく、扉の開閉状態を検知することで、上述したような不正行為を監視することが考えられたが、遊技機は、遊技者により遊技されている最中に、いわゆる、玉詰まりまたはメダル詰まりといったトラブルの発生により、ホール係員によって開放されることもあるため、扉の開閉を監視するのみでは不正な扉の開放がなされたか否かを判別することができず、正確な監視ができないという課題があった。
【０００７】
このような課題を解決させるため、遊技機に設置されている錠が施錠されているか否かの状態検出と扉の開閉状態とを同時に監視し、それらの監視結果に基づいて不正な扉の開放の有無を検出させることが提案されている（例えば、特許文献１参照）。
【０００８】
【特許文献１】特開２００３−１９０５６６号公報
【発明の開示】
【発明が解決しようとする課題】
【０００９】
しかしながら、上述した扉の不正な開放を監視するシステムでは、不正な扉の開放を監視することはできても、遊技機の動作を制御することができないため、仮に不正に錠が開錠され、さらに、扉が開放されて、抽選による当たりの確立の設定値が変更されたとしても、遊技を継続することができてしまうため、ホール係員が扉の開放を監視システムにて検知してもその後の遊技を止めることができないという課題があった。
【００１０】
また、例えば、パチスロ機において発生するメダル詰まりなど、遊技機特有のエラーが発生した場合、ホール係員が適正な鍵を使用した開錠による扉の開放と、適正な鍵を利用せずに開錠させてしまうことによる扉の開放とを区別することができない（適正な鍵を利用せず、例えば、鍵により錠の機構を動作させて開錠させるべきところを、その機構のみを鍵を利用せずに動作させて開錠させると、適正な鍵を用いて開錠させた場合と区別することができない）という課題があった。
【００１１】
本発明はこのような状況に鑑みてなされたものであり、遊技機の扉の錠に、開錠操作がなされたか否かを検出する機構を設けることにより、扉開閉検出機構による開閉検出結果と併せて、不正に扉を開放したか否かを正確に監視できるようにするものである。
【課題を解決するための手段】
【００１２】
本発明の監視装置は、扉の錠の開錠操作を検出する開錠検出手段と、扉の開閉を検出する開閉検出手段と、開錠検出手段の開錠操作検出結果と、開閉検出手段の開閉検出結果とに基づいて、扉の不正な開放を検出する扉不正開放検出手段と、扉不正開放検出手段により扉の不正な開放が検出された場合、扉の不正な開放が発生したことを示す情報をネットワークを介して、複数の監視装置の監視状況を管理する情報処理装置に送信する送信手段とを備えることを特徴とする。
【００１３】
前記扉の錠は、鍵をシリンダに挿入し、挿入方向を回転軸として所定の方向に回転させる操作により開錠されるようにすることができ、開錠検出手段には、鍵の所定の方向への回転を検出して、扉の錠の開錠操作を検出させるようにすることができる。
【００１４】
前記開錠検出手段には、フォトセンサにより鍵の所定の方向への回転を検出して、扉の錠の開錠操作を検出させるようにすることができる。
【００１５】
前記扉不正開放検出手段には、開錠検出手段の開錠操作検出結果と、開閉検出手段の開閉検出結果とに基づいて、開錠操作検出結果が開錠操作を検出しないで、かつ、開閉検出結果が扉の開放を検出した場合、扉の不正な開放を検出させるようにすることができる。
【００１６】
前記送信手段には、扉不正開放検出手段により扉の不正な開放が検出された場合、扉の不正な開放が発生したことを示す情報と共に、自らの位置を示す情報をネットワークを介して、複数の監視装置の監視状況を管理する情報処理装置に送信させるようにすることができる。
【００１７】
本発明の監視方法は、扉の錠の開錠操作を検出する開錠検出ステップと、扉の開閉を検出する開閉検出ステップと、開錠検出ステップの処理での開錠操作検出結果と、開閉検出ステップの処理での開閉検出結果とに基づいて、扉の不正な開放を検出する扉不正開放検出ステップと、扉不正開放検出ステップの処理で扉の不正な開放が検出された場合、扉の不正な開放が発生したことを示す情報をネットワークを介して、複数の監視装置の監視状況を管理する情報処理装置に送信する送信ステップとを含むことを特徴とする。
【００１８】
本発明の第１の記録媒体のプログラムは、扉の錠の開錠操作の検出を制御する開錠検出制御ステップと、扉の開閉の検出を制御する開閉検出制御ステップと、開錠検出制御ステップの処理での開錠操作検出結果と、開閉検出制御ステップの処理での開閉検出結果とに基づいて、扉の不正な開放の検出を制御する扉不正開放検出制御ステップと、扉不正開放検出制御ステップの処理で扉の不正な開放が検出された場合、扉の不正な開放が発生したことを示す情報をネットワークを介して、複数の監視装置の監視状況を管理する情報処理装置への送信を制御する送信制御ステップとを含むことを特徴とする。
【００１９】
本発明の第１のプログラムは、扉の錠の開錠操作の検出を制御する開錠検出制御ステップと、扉の開閉の検出を制御する開閉検出制御ステップと、開錠検出制御ステップの処理での開錠操作検出結果と、開閉検出制御ステップの処理での開閉検出結果とに基づいて、扉の不正な開放の検出を制御する扉不正開放検出制御ステップと、扉不正開放検出制御ステップの処理で扉の不正な開放が検出された場合、扉の不正な開放が発生したことを示す情報をネットワークを介して、複数の監視装置の監視状況を管理する情報処理装置への送信を制御する送信制御ステップとを含む処理をコンピュータに実行させることを特徴とする。
【００２０】
本発明の第１の情報処理装置は、監視装置より送信されてくる、開錠操作検出結果と開閉検出結果とに基づいて、扉の不正な開放を示す情報を受信する受信手段と、受信手段により受信された、扉の不正な開放を示す情報に基づいて、監視装置における扉の不正な開放の検出を示す情報を提示する提示手段とを備えることを特徴とする。
【００２１】
前記受信手段には、監視装置より送信されてくる、開錠操作検出結果と開閉検出結果とに基づいて、扉の不正な開放を示す情報と共に、監視装置の位置を示す情報を受信させるようにすることができ、提示手段には、受信手段により受信された、扉の不正な開放を示す情報に基づいて、監視装置における扉の不正な開放の検出を示す情報と、監視装置の位置を提示させるようにすることができる。
【００２２】
前記提示手段には、受信手段により受信された、扉の不正な開放を示す情報に基づいて、監視装置における扉の不正な開放の検出を示す情報を音声により提示させるようにすることができる。
【００２３】
前記提示手段には、受信手段により受信された、扉の不正な開放を示す情報に基づいて、監視装置におおける扉の不正な開放の検出を示す情報を表示する画像を生成し、画像を表示することにより提示させるようにすることができる。
【００２４】
前記受信手段には、監視装置より送信されてくる、開錠操作検出結果と開閉検出結果とに基づいて、扉の不正な開放の検出を示す情報と共に、監視装置の位置を示す情報を受信させるようにすることができ、提示手段には、受信手段により受信された、扉の不正な開放の検出を示す情報に基づいて、監視装置における扉の不正な開放の検出を示す情報と、監視装置の位置を表示する画像を生成し、画像を表示することにより提示させるようにすることができる。
【００２５】
本発明の第１の情報処理方法は、監視装置より送信されてくる、開錠操作検出結果と開閉検出結果とに基づいて、扉の不正な開放を示す情報を受信する受信ステップと、受信ステップの処理で受信された、扉の不正な開放を示す情報に基づいて、監視装置において、扉の不正な開放を示す情報を提示する提示ステップとを含むことを特徴とする。
【００２６】
本発明の第２の記録媒体のプログラムは、監視装置より送信されてくる、開錠操作検出結果と開閉検出結果とに基づいて、扉の不正な開放を示す情報の受信を制御する受信制御ステップと、受信制御ステップの処理で受信された、扉の不正な開放を示す情報に基づいて、監視装置において、扉の不正な開放を示す情報の提示を制御する提示制御ステップとを含むことを特徴とする。
【００２７】
本発明の第２のプログラムは、監視装置より送信されてくる、開錠操作検出結果と開閉検出結果とに基づいて、扉の不正な開放を示す情報の受信を制御する受信制御ステップと、受信制御ステップの処理で受信された、扉の不正な開放を示す情報に基づいて、監視装置において、扉の不正な開放を示す情報の提示を制御する提示制御ステップとを含む処理をコンピュータに実行させることを特徴とする。
【００２８】
本発明の第１の監視システムは、監視装置が、扉の錠の開錠操作を検出する開錠検出手段と、扉の開閉を検出する開閉検出手段と、開錠検出手段の開錠操作検出結果と、開閉検出手段の開閉検出結果とに基づいて、扉の不正な開放を検出する扉不正開放検出手段と、扉不正開放検出手段により扉の不正な開放が検出された場合、扉の不正な開放が発生したことを示す情報をネットワークを介して、複数の監視装置の監視状況を管理する情報処理装置に送信する送信手段とを備え、情報処理装置が、監視装置より送信されてくる、開錠操作検出結果と開閉検出結果とに基づいて、扉の不正な開放を示す情報を受信する受信手段と、受信手段により受信された、扉の不正な開放を示す情報に基づいて、監視装置における扉の不正な開放の検出を示す情報を提示する提示手段とを備えることを特徴とする。
【００２９】
本発明の遊技機は、遊技動作を制御する遊技動作制御手段と、扉の錠の開錠操作を検出する開錠検出手段と、扉の開閉を検出する開閉検出手段と、開錠検出手段の開錠操作検出結果と、開閉検出手段の開閉検出結果とに基づいて、扉の不正な開放を検出する扉不正開放検出手段と、扉不正開放検出手段により扉の不正な開放が検出された場合、扉の不正な開放が発生したことを示す情報をネットワークを介して、複数の監視装置の監視状況を管理する情報処理装置に送信する送信手段とを備え、扉不正開放検出手段により扉の不正な開放が検出された場合、遊技動作制御手段は、遊技動作を停止するように制御することを特徴とする。
【００３０】
前記扉の錠は、鍵をシリンダに挿入し、挿入方向を回転軸として所定の方向へ回転させる操作により開錠されるようにすることができ、開錠検出手段には、鍵の所定の方向への回転を検出して、扉の錠の開錠操作を検出させるようにすることができる。
【００３１】
前記開錠検出手段には、フォトセンサにより鍵の所定の方向への回転を検出して、扉の錠の開錠操作を検出させるようにすることができる。
【００３２】
前記開錠検出手段には、扉の錠の開錠操作に加えて、遊技動作のリセット操作を検出させるようにすることができる。
【００３３】
前記扉不正開放検出手段により扉の不正な開放が検出され、遊技動作が停止されるように制御された後、開錠検出手段によりリセット操作が検出された場合、遊技動作制御手段には、遊技動作を再開させるようにすることができる。
【００３４】
前記扉の錠には、鍵をシリンダに挿入し、挿入方向を回転軸として所定の方向に回転させる操作により、リセット操作を実行させるようにすることができ、開錠検出手段には、鍵の所定の方向への回転を検出して、扉の錠のリセット操作を検出させるようにすることができる。
【００３５】
前記開錠検出手段には、フォトセンサにより鍵の所定の方向への回転を検出して、扉の錠のリセット操作を検出させるようにすることができる。
【００３６】
前記送信手段には、開錠検出手段が、遊技動作のリセット操作を検出した場合、リセット操作が検出されたことを示す情報と共に、自らの位置を示す情報をネットワークを介して、複数の遊技機の監視状況を管理する情報処理装置に送信させるようにすることができる。
【００３７】
前記扉不正開放検出手段には、開錠検出手段の開錠操作検出結果と、開閉検出手段の開閉検出結果とに基づいて、開錠操作検出結果が開錠操作を検出しないで、かつ、開閉検出結果が扉の開放を検出した場合、扉の不正な開放を検出させるようにすることができ、遊技動作制御手段には、遊技動作を停止させるように制御させるようにすることができる。
【００３８】
前記送信手段には、扉不正開放検出手段により扉の不正な開放が検出された場合、扉の不正な開放が発生したことを示す情報と共に、自らの位置を示す情報をネットワークを介して、複数の遊技機の監視状況を管理する情報処理装置に送信させるようにすることができる。
【００３９】
本発明の遊技機の動作方法は、遊技動作を制御する遊技動作制御ステップと、扉の錠の開錠操作を検出する開錠検出ステップと、扉の開閉を検出する開閉検出ステップと、開錠検出ステップの処理での開錠操作検出結果と、開閉検出ステップの処理での開閉検出結果とに基づいて、扉の不正な開放を検出する扉不正開放検出ステップと、扉不正開放検出ステップの処理で扉の不正な開放が検出された場合、扉の不正な開放が発生したことを示す情報をネットワークを介して、複数の監視装置の監視状況を管理する情報処理装置に送信する送信ステップを含み、扉不正開放検出ステップの処理で扉の不正な開放が検出された場合、遊技動作制御ステップの処理は、遊技動作を停止するように制御することを特徴とする。
【００４０】
本発明の第３の記録媒体のプログラムは、遊技動作を制御する遊技動作制御ステップと、扉の錠の開錠操作の検出を制御する開錠検出制御ステップと、扉の開閉の検出を制御する開閉検出制御ステップと、開錠検出制御ステップの処理での開錠操作検出結果と、開閉検出制御ステップの処理での開閉検出結果とに基づいて、扉の不正な開放の検出を制御する扉不正開放検出制御ステップと、扉不正開放検出制御ステップの処理で扉の不正な開放が検出された場合、扉の不正な開放が発生したことを示す情報をネットワークを介した、複数の監視装置の監視状況を管理する情報処理装置への送信を制御する送信制御ステップを含み、扉不正開放検出制御ステップの処理で扉の不正な開放が検出された場合、遊技動作制御ステップの処理は、遊技動作を停止するように制御することを特徴とする。
【００４１】
本発明の第３のプログラムは、遊技動作を制御する遊技動作制御ステップと、扉の錠の開錠操作の検出を制御する開錠検出制御ステップと、扉の開閉の検出を制御する開閉検出制御ステップと、開錠検出制御ステップの処理での開錠操作検出結果と、開閉検出制御ステップの処理での開閉検出結果とに基づいて、扉の不正な開放の検出を制御する扉不正開放検出制御ステップと、扉不正開放検出制御ステップの処理で扉の不正な開放が検出された場合、扉の不正な開放が発生したことを示す情報をネットワークを介した、複数の監視装置の監視状況を管理する情報処理装置への送信を制御する送信制御ステップを含む処理をコンピュータに実行させ、扉不正開放検出制御ステップの処理で扉の不正な開放が検出された場合、遊技動作制御ステップの処理は、遊技動作を停止するように制御することを特徴とする。
【００４２】
本発明の第２の情報処理装置は、遊技機より送信されてくる、開錠操作検出結果と開閉検出結果とに基づいて、扉の不正な開放を示す情報を受信する受信手段と、受信手段により受信された、扉の不正な開放の検出を示す情報に基づいて、遊技機における扉の不正な開放の検出を示す情報を提示する提示手段とを備えることを特徴とする。
【００４３】
前記受信手段には、遊技機より送信されてくる、開錠操作検出結果と開閉検出結果とに基づいて、扉の不正な開放の検出を示す情報と共に、遊技機の位置を示す情報を受信させるようにすることができ、提示手段には、受信手段により受信された、扉の不正な開放の検出を示す情報に基づいて、遊技機における扉の不正な開放の検出を示す情報と、遊技機の位置を提示させるようにすることができる。
【００４４】
前記提示手段には、受信手段により受信された、扉の不正な開放を示す情報に基づいて、遊技機における扉の不正な開放の検出を示す情報を音声により提示させるようにすることができる。
【００４５】
前記提示手段には、受信手段により受信された、扉の不正な開放を示す情報に基づいて、遊技機における扉の不正な開放の検出を示す情報を表示する画像を生成し、画像を表示することにより提示させるようにすることができる。
【００４６】
前記受信手段には、遊技機より送信されてくる、開錠操作検出結果と開閉検出結果とに基づいて、扉の不正な開放を示す情報と共に、遊技機の位置を示す情報を受信させるようにすることができ、提示手段には、受信手段により受信された、扉の不正な開放を示す情報に基づいて、遊技機における扉の不正な開放の検出を示す情報と、遊技機の位置を表示する画像を生成し、画像を表示することにより提示させるようにすることができる。
【００４７】
前記受信手段には、遊技機より送信されてくる、開錠操作検出結果と開閉検出結果とに基づいて、扉の不正な開放を示す情報に加えて、リセット操作が実行されたことを示す情報を受信させるようにすることができ、提示手段には、受信手段により受信された扉の不正な開放を示す情報に基づいて、遊技機における扉の不正な開放の検出を示す情報を提示した後、受信手段により遊技機よりリセット操作が実行されたことを示す情報を受信したとき、扉の不正な開放を示す情報の提示を終了させるようにすることができる。
【００４８】
本発明の第２の情報処理方法は、遊技機より送信されてくる、開錠操作検出結果と開閉検出結果とに基づいて、扉の不正な開放を示す情報を受信する受信ステップと、受信ステップの処理で受信された、扉の不正な開放を示す情報に基づいて、遊技機における扉の不正な開放の検出を示す情報を提示する提示ステップとを含むことを特徴とする。
【００４９】
本発明の第４の記録媒体のプログラムは、遊技機より送信されてくる、開錠操作検出結果と開閉検出結果とに基づいて、扉の不正な開放を示す情報の受信を制御する受信制御ステップと、受信制御ステップの処理で受信された、扉の不正な開放を示す情報に基づいて、遊技機における扉の不正な開放の検出を示す情報の提示を制御する提示制御ステップとを含むことを特徴とする。
【００５０】
本発明の第４のプログラムは、遊技機より送信されてくる、開錠操作検出結果と開閉検出結果とに基づいて、扉の不正な開放を示す情報の受信を制御する受信制御ステップと、受信制御ステップの処理で受信された、扉の不正な開放を示す情報に基づいて、遊技機における扉の不正な開放の検出を示す情報の提示を制御する提示制御ステップとを含む処理をコンピュータに実行させることを特徴とする。
【００５１】
本発明の第２の監視システムは、遊技機が、遊技動作を制御する遊技動作制御手段と、扉の錠の開錠操作を検出する開錠検出手段と、扉の開閉を検出する開閉検出手段と、開錠検出手段の開錠操作検出結果と、開閉検出手段の開閉検出結果とに基づいて、扉の不正な開放を検出する扉不正開放検出手段と、扉不正開放検出手段により扉の不正な開放が検出された場合、扉の不正な開放が発生したことを示す情報をネットワークを介して、複数の遊技機の監視状況を管理する情報処理装置に送信する送信手段とを備え、扉不正開放検出手段により扉の不正な開放が検出された場合、遊技動作制御手段は、遊技動作を停止するように制御し、情報処理装置が、遊技機より送信されてくる、開錠操作検出結果と開閉検出結果とに基づいて、扉の不正な開放を示す情報を受信する受信手段と、受信手段により受信された、扉の不正な開放を示す情報に基づいて、遊技機における扉の不正な開放の検出を示す情報を提示する提示手段とを備えることを特徴とする。
【００５２】
本発明の監視装置および方法、並びに第１のプログラムにおいては、扉の錠の開錠操作が検出され、扉の開閉が検出され、開錠操作検出結果と、開閉検出結果とに基づいて、扉の不正な開放が検出され、扉の不正な開放が検出された場合、扉の不正な開放が発生したことを示す情報がネットワークを介して、複数の監視装置の監視状況を管理する情報処理装置に送信される。
【００５３】
本発明の第１の情報処理装置および方法、並びに第２のプログラムにおいては、監視装置より送信されてくる、開錠操作検出結果と開閉検出結果とに基づいて、扉の不正な開放を示す情報が受信され、受信された、扉の不正な開放を示す情報に基づいて、監視装置における扉の不正な開放の検出を示す情報が提示される。
【００５４】
本発明の第１の監視システムにおいては、監視装置により、扉の錠の開錠操作が検出され、扉の開閉が検出され、開錠操作検出結果と、開閉検出結果とに基づいて、扉の不正な開放が検出され、扉の不正な開放が検出された場合、扉の不正な開放が発生したことを示す情報がネットワークを介して、複数の監視装置の監視状況を管理する情報処理装置に送信され、情報処理装置により、監視装置より送信されてくる、開錠操作検出結果と開閉検出結果とに基づいて、扉の不正な開放を示す情報が受信され、受信された、扉の不正な開放を示す情報に基づいて、監視装置における扉の不正な開放の検出を示す情報が提示される。
【００５５】
本発明の遊技機および遊技機の動作方法、並びに第３のプログラムにおいては、遊技動作が制御され、扉の錠の開錠操作が検出され、扉の開閉が検出され、開錠操作検出結果と、開閉検出結果とに基づいて、扉の不正な開放が検出され、扉の不正な開放が検出された場合、扉の不正な開放が発生したことを示す情報がネットワークを介して、複数の監視装置の監視状況を管理する情報処理装置に送信され、扉の不正な開放が検出された場合、遊技動作が停止させられるように制御される。
【００５６】
本発明の第２の情報処理装置および方法、並びに第４のプログラムにおいては、遊技機より送信されてくる、開錠操作検出結果と開閉検出結果とに基づいて、扉の不正な開放を示す情報が受信され、受信された、扉の不正な開放を示す情報に基づいて、遊技機における扉の不正な開放の検出を示す情報が提示される。
【００５７】
本発明の第２の監視システムにおいては、遊技機により、遊技動作が制御され、扉の錠の開錠操作が検出され、扉の開閉が検出され、開錠操作検出結果と、開閉検出結果とに基づいて、扉の不正な開放が検出され、扉の不正な開放が検出された場合、扉の不正な開放が発生したことを示す情報がネットワークを介して、複数の遊技機の監視状況を管理する情報処理装置に送信され、扉の不正な開放が検出された場合、遊技動作を停止するように制御し、情報処理装置により、遊技機より送信されてくる、開錠操作検出結果と開閉検出結果とに基づいて、扉の不正な開放を示す情報が受信され、受信された、扉の不正な開放を示す情報に基づいて、遊技機における扉の不正な開放の検出を示す情報が提示される。
【００５８】
本発明の開錠検出手段は、例えば、図５の錠センサ１２１である。図１２で示されるように、錠センサ１２１における検出部１７４の開錠センサ１７４ｂと接続部１７３の遮光部１７３ｃは、鍵穴１５１に鍵が挿入されて、さらに、カム１６１と共に矢印Ａ方向に回転されることにより、遮光部１７３ｃが開錠センサ１７４ｂの溝に入る。この動作により、図１５で示される開錠センサ１７４ｂに設けられた受光部１９２で検出される発光部１９１より発せられる光が遮光され、受光部１９２は発光部１９１からの光を受光することができなくなるので、開錠操作がなされたことを検出し、検出結果を中央制御部１２７に供給する。
【００５９】
本発明の開閉検出手段は、例えば、図５の扉センサ１２９であり、扉１０６が軸に対して回動し、筐体１０７に閉じた状態のとき、すなわち、扉１０６自身により押圧された状態を検出したとき、扉１０６が閉じていることを検出し、逆に、扉１０６が筐体１０７から開放されるとき、すなわち、扉１０６から押圧されない状態となったとき、扉１０６が開放されていることを検出し、検出結果をそれぞれ中央制御部１２７に供給する。
【００６０】
本発明の扉不正開放検出手段は、例えば、図５の中央制御部１２７であり、錠センサ１２１からの開錠検出結果と、扉センサ１２９からの開閉検出結果に基づいて、錠センサ１２１より開錠操作が検出されず、かつ、扉センサ１２９より扉１０６が開放されていることが検出された場合、扉の不正な開放が生じていることを検出し、動作制御部１２５および外部出力部１３０に通報する。
【００６１】
本発明の送信手段は、例えば、図５の外部出力部１３０であり、中央制御部１２７により不正開放信号が生成されると、台情報通信部１４１およびネットワーク２を介して、ホールコンピュータに不正開放信号を送信する。
【００６２】
前記扉の錠は、例えば、図４の錠１０５であり、鍵を錠１０５のシリンダ１５２に挿入し、挿入方向を回転軸として所定の方向に回転させる操作により開錠されるように構成されている。
【００６３】
前記開錠検出手段のフォトセンサは、例えば、図１５の受光部１９２であり、鍵が所定の方向に回転し、遮光部１７３が開錠センサ１７４ｂの溝に入り込むことで、発光部１９１より発せられる光が遮光されることにより、開錠操作がなされたことを検出する。
【００６４】
本発明の遊技動作制御手段は、例えば、図５のパチスロ台３の中央制御部１２７であり、扉１０６の不正な開放を検出すると、遊技動作を停止させる。
【００６５】
本発明の受信手段は、例えば、図３の通信部２９であり、パチスロ台３より送信されてくる不正開放信号を受信する。
【００６６】
本発明の提示手段は、例えば、図３の管理情報生成部６３であり、不正開放信号とそれに付されてくる、不正開放信号を送信してくるパチスロ台３を特定する位置情報とをアナウンス情報生成部６４および画像生成部６６に供給し、不正開放が発生したパチスロ台の位置と共に不正開放が発生したことを示す情報を音声、または、画像として提示するようにさせる。
【００６７】
本発明の監視装置および方法、並びに第１のプログラムによれば、扉の錠の開錠操作を検出し、扉の開閉を検出し、開錠操作検出結果と、開閉検出結果とに基づいて、扉の不正な開放を検出し、扉の不正な開放を検出した場合、扉の不正な開放が発生したことを示す情報をネットワークを介して、複数の監視装置の監視状況を管理する情報処理装置に送信するようにした。
【００６８】
本発明の第１の情報処理装置および方法、並びに第２のプログラムによれば、監視装置より送信されてくる、開錠操作検出結果と開閉検出結果とに基づいて、扉の不正な開放を示す情報を受信し、受信した、扉の不正な開放を示す情報に基づいて、監視装置における扉の不正な開放の検出を示す情報を提示するようにした。
【００６９】
本発明の第１の監視システムによれば、監視装置が、扉の錠の開錠操作を検出し、扉の開閉を検出し、開錠操作検出結果と、開閉検出結果とに基づいて、扉の不正な開放を検出し、扉の不正な開放を検出した場合、扉の不正な開放が発生したことを示す情報をネットワークを介して、複数の監視装置の監視状況を管理する情報処理装置に送信し、情報処理装置が、監視装置より送信されてくる、開錠操作検出結果と開閉検出結果とに基づいて、扉の不正な開放を示す情報を受信し、受信した、扉の不正な開放を示す情報に基づいて、監視装置における扉の不正な開放の検出を示す情報を提示するようにした。
【００７０】
本発明の遊技機および遊技機の動作方法、並びに第３のプログラムによれば、遊技動作を制御し、扉の錠の開錠操作を検出し、扉の開閉を検出し、開錠操作検出結果と、開閉検出結果とに基づいて、扉の不正な開放を検出し、扉の不正な開放を検出した場合、扉の不正な開放が発生したことを示す情報をネットワークを介して、複数の監視装置の監視状況を管理する情報処理装置に送信し、扉の不正な開放を検出した場合、遊技動作を停止させられるように制御するようにした。
【００７１】
本発明の第２の情報処理装置および方法、並びに第４のプログラムによれば、遊技機より送信されてくる、開錠操作検出結果と開閉検出結果とに基づいて、扉の不正な開放を示す情報を受信し、受信した、扉の不正な開放を示す情報に基づいて、遊技機における扉の不正な開放の検出を示す情報を提示するようにした。
【００７２】
本発明の第２の監視システムによれば、遊技機が、遊技動作を制御し、扉の錠の開錠操作を検出し、扉の開閉を検出し、開錠操作検出結果と、開閉検出結果とに基づいて、扉の不正な開放を検出し、扉の不正な開放を検出した場合、扉の不正な開放が発生したことを示す情報をネットワークを介して、複数の遊技機の監視状況を管理する情報処理装置に送信し、扉の不正な開放を検出した場合、遊技動作を停止するように制御し、情報処理装置が、遊技機より送信されてくる、開錠操作検出結果と開閉検出結果とに基づいて、扉の不正な開放を示す情報を受信し、受信した、扉の不正な開放を示す情報に基づいて、遊技機における扉の不正な開放の検出を示す情報を提示するようにした。
【００７３】
結果として、本発明の監視装置および方法、遊技機および遊技機の動作方法、情報処理装置および方法、監視システム、記録媒体、並びにプログラムのいずれにおいても、扉の不正な開放を正確に検出することが可能となり、さらに、扉の不正な開放を検出したときに、遊技動作を停止させることで、不正な遊技を継続させないようにさせることが可能となる。
【発明の効果】
【００７４】
本発明によれば、扉の不正な開放を正確に検出することが可能になると共に、不正な遊技を継続させないようにさせることが可能となる。
【発明を実施するための最良の形態】
【００７５】
図１は、本発明に係る遊技施設における遊技管理システムの一実施の形態の構成を示す図である。この遊技管理システムは、いわゆるパチスロ店やパチンコ店などの遊技施設内（以下、ホール内とも称する）に設置される複数の遊技機（パチンコ台、パチスロ台、またはゲーム機など）の動作状態を管理すると共に、不正な行為がなされているか否かを監視するものである。
【００７６】
図１においては、遊技機の例としてパチスロ台３−１乃至３−３が示されているが、遊技機は、パチスロ台に限るものではなく、例えば、パチンコ台であってもよいし、その他のゲーム機などであってもよい。尚、以降において、パチスロ台３−１乃至３−３を特に区別する必要がない場合、単に、パチスロ台３と称するものとし、その他の装置についても同様に称するものとする。また、図１においては、パチスロ台３が、遊技施設内に３台設けられている場合について示しているが、それ以外の台数であってもよいことは言うまでもない。
【００７７】
ホールコンピュータ１は、ネットワーク２を介してパチスロ台３より供給される獲得メダル情報（遊技者により挿入されるメダルの数、遊技動作における抽選による当たりにより払い出されるメダルの数を示す情報など）、エラー検出信号（メダル詰まり、メダル溢れなどによる遊技動作不能の状態の検出信号）、開錠検出信号（錠が正規の鍵により開錠される動作がなされたか否かを示す信号）、リセット信号（エラーや不正開放の検出により遊技動作が停止された状態から遊技可能な状態にさせるためのリセット操作がなされたことを示す信号）、扉開信号（後述する扉１０６が開放されたことを示す信号）、または、不正開放信号（扉１０６が、不正に開放されたことを示す信号）に基づいて、各パチスロ台３の動作状態を監視すると共に、エラーや不正な動作を検出すると音声や画像により、検出したエラーや不正の発生したパチスロ台３を特定するための情報を出力する。
【００７８】
パチスロ台３は、遊技動作を実行させると共に、遊技動作中に発生するエラーを検出し、エラー検出信号をネットワーク２を介してホールコンピュータ１に供給する。また、パチスロ台３は、扉１０６が正規の鍵により開錠操作がなされたか否かを検出し、開錠操作が検出された場合、開錠検出信号をホールコンピュータ１に供給する。さらに、パチスロ台３は、扉１０６の開閉状態を検出し、扉１０６が開放状態が検出された場合、扉開信号をホールコンピュータ１に供給する。また、パチスロ台３は、開錠検出結果と扉１０６の開閉検出結果に基づいて、不正な扉１０６の開放を検出し、不正な開放が検出された場合、不正開放信号をホールコンピュータ１に供給すると共に、遊技動作を停止させる。その後、ホール係員によりリセット操作がなされたか否かを検出し、リセット操作がなされたことを検出するとリセット信号をホールコンピュータ１に供給すると共に、停止させていた遊技動作を再開させる。さらに、パチスロ台３は、各種の信号をホールコンピュータ１に供給する際、自らを識別する信号を付して供給する。
【００７９】
次に、図２を参照して、ホールコンピュータ１の構成について説明する。
【００８０】
CPU（Central Processing Unit）２１は、ROM（Read Only Memory）２２、または記憶部２８に記憶されているプログラムに従って各種の処理を実行する。RAM（Random Access Memory）２３には、CPU２１が実行するプログラムやデータなどが適宜記憶される。これらのCPU２１、ROM２２、およびRAM２３は、バス２４により相互に接続されている。
【００８１】
CPU２１には、バス２４を介して入出力インタフェース２５が接続されている。入出力インタフェース２５には、キーボードやマウスなどから構成される入力部２６、スピーカやディスプレイなどから構成される出力部２７が接続されている。CPU２１は、入力部２６からの情報に基づいて所定の処理を実行し、出力部２７を介して処理結果となる画像や音声を出力させる。
【００８２】
入出力インタフェース２５に接続されている記憶部２８は、例えばハードディスクなどで構成され、CPU２１が実行するプログラムや各種のデータを記憶する。通信部２９は、インターネットやイントラネットなどに代表されるネットワークを介してパチスロ台３から供給される情報を取得する。
【００８３】
また、記憶部２８は、各種のプログラムを記憶しており、CPU２１は、これらのプログラムを読み出して対応する処理を実行する。記憶部２８に記憶されるプログラムは、上述のほかにも、通信部２９を介してプログラムを取得して記憶するようにしてもよい。
【００８４】
入出力インタフェース２５に接続されているドライブ３０は、磁気ディスク４１、光ディスク４２、光磁気ディスク４３、或いは半導体メモリ４４などが挿入されたとき、それらを駆動し、そこに記録されているプログラムやデータなどを取得する。取得されたプログラムやデータは、必要に応じて記憶部２８に転送され、記憶される。
【００８５】
次に、図３を参照して、図２で示されるホールコンピュータ１により実現される機能について説明する。
【００８６】
信号判定部６１は、パチスロ台３より供給されてくる各種の信号が、開錠検出信号、リセット信号、扉開信号、不正開放信号、エラー検出信号、または、獲得メダル情報を示す信号であるかを識別し、識別結果と共に、管理情報生成部６３に供給する。
【００８７】
位置検出部６２は、パチスロ台３より供給されてくる信号に含まれている、各パチスロ台３を識別する信号に基づいて、その信号を送信してきたパチスロ台３の位置を検出し、検出した位置情報を管理情報生成部６３に供給する。
【００８８】
管理情報生成部６３は、信号判定部６１より供給されてくる開錠検出信号、リセット信号、扉開信号、不正開放信号、エラー検出信号、または、獲得メダル情報を示す信号と、位置検出部６２より供給されてくる位置情報とを対応付けて、信号に応じた管理情報を生成する。より詳細には、管理情報生成部６３は、エラー検出信号、開錠検出信号、扉開信号、および、不正開放信号と、位置情報を対応付けて、管理情報を生成し、記憶部２８に記憶させると共に、アナウンス情報生成部６４、および、画像生成部６６に供給する。
【００８９】
アナウンス情報生成部６４は、管理情報生成部６３より供給された管理情報に基づいて、音声情報を生成し、スピーカ６５より音声としてその情報を出力させる。より詳細には、例えば、パチスロ台３がどの台であるかを示す情報と、動作情報として、エラーが発生している、または、不正な扉１０６の開放がなされているといったことを示す情報を音声情報として生成する。
【００９０】
画像生成部６６は、管理情報生成部６３より供給された管理情報に基づいて、画像情報を生成し、ディスプレイ６７より画像としてその情報を表示させる。より詳細には、例えば、エラーが発生している、または、不正な扉１０６の開放がなされているパチスロ台３がどの台であるかを示す情報を画像情報として生成する。
【００９１】
次に、図４乃至図６を参照して、パチスロ台３の構成について説明する。
【００９２】
パチスロ台３は、図４で示されるように、扉１０６と筐体１０７から構成されている。扉１０６には、図中の上から照明部１０１、リール表示部１０２、操作部１０３、および、メダル受皿１０４が設けられている。照明部１０１は、複数のランプなどから構成されており、図５の動作制御部１２５により遊技動作に対応して各ランプを点灯させ、例えば、大当たりの状態、エラーが発生している状態、または、不正に扉１０６が開放された状態のとき、それぞれの状態を示す。
【００９３】
リール表示部１０２は、透明のプレートで構成されており、図５で示されるように、内蔵するリール１２６−１乃至１２６−３の表面に描かれた図柄を視認することができる構成となっている。操作部１０３は、リール１２６−１乃至１２６−３に対応した３つのボタンから構成されており、ユーザが回動するリール表示部１０２を見ながら所望とする図柄をリール表示部１０２上に表示するように停止させたいときに操作され、これに対応して、リール１２６−１乃至１２６−３の回動が停止する。メダル受皿１０４は、動作制御部１２５により制御され、レギュラーボーナス、または、ビッグボーナスによりメダルの払い出しがあるとき、払い出されるメダルを捕集する。
【００９４】
錠１０５は、鍵により扉１０６を筐体１０７に対して開放可能な状態、または、開放不能な状態とするものであり、ホール係員によりエラー発生時、メンテナンス、メダル詰まり、および、メダルの補給時などに予め設定された正規の鍵を挿入し、所定の方向に回転することにより開錠することができ、開錠された状態のとき、扉１０６は、筐体１０７より開放することが可能となる。また、錠１０５は、開錠させるための回転方向と逆回転されることにより、パチスロ台３の遊技動作をリセットさせるリセット操作を実行させることができる。
【００９５】
錠センサ１２１は、錠１０５の端部に設けられており、正規の鍵が挿入されて所定の方向に回転させられることにより、開錠操作がなされたか否かを検出し、開錠操作がなされると開錠検出信号を中央制御部１２７に供給する。また、錠センサ１２１は、正規の鍵が挿入されて所定の方向と逆方向に回転させられることにより、リセット操作がなされたか否かを検出し、リセット操作がなされるとリセット信号を中央制御部１２７に供給する。
【００９６】
回転板１２２は、錠１０５が鍵により所定の方向に回転すると、鍵の回転に対応して回転する。回転板１２２は、その回転軸から離れた位置に支持棒１２３の中央部を図中上方向に押し上げることができる構成となっている。支持棒１２３の端部は、係止部１２４−１，１２４−２の中央部にそれぞれ係止されている。
【００９７】
このような構成により、鍵の回転に対応して支持棒１２３は回転板１２２の回転に応じて上下方向に移動するため、図６で示されるように、係止部１２４−１，１２４−２は、軸１２４−１ｃ，１２４−２ｃを中心として、図中右側の鍵状の端部が上下方向に動く。すなわち、回転板１２２の回転に応じて、支持棒１２３が、支持棒１２３ａの状態から支持棒１２３ｂで示されるように、上方向に移動すると、係止部１２４−１，１２４−２の右端部は、図中上方向に持ち上げられることになり、図６中の点線で示された係止部１２４−１ｂ，１２４−２ｂ状態となり、回転板１２２が、回転していない状態では、実線で示された状態、すなわち、係止部１２４−１ａ，１２４−２ａとなる。尚、係止部１２４−１，１２４−２の図６中の右端部は、図示せぬ規制部により係止部１２４−１ａ，１２４−２ａよりも下方向には動かない構成となっている。
【００９８】
結果として、係止部１２４−１，１２４−２は、図６で示される実線の状態の場合、すなわち、係止部１２４−１ａ，１２４−２ａの場合、係止部１２４−１ａ，１２４−２ａの鍵状の凹部が筐体１０７の内部に設けられた凸部１３１−１，１３１−２に対して、それぞれ係止された状態となるので、扉１０６は、筐体１０７に対して開放不能な施錠された状態となる。一方、鍵が挿入されて、所定の方向に回転されると、対応して回転板１２２が図中左方向に回転し、支持棒１２３が上方向に移動させられることにより（支持棒１２３ｂの状態にされることにより）、係止部１２４−１，１２４−２の右端部が持ち上げられて、係止部１２４−１ｂ，１２４−２ｂの状態となり、筐体１０７の内部に設けられた凸部１３１−１，１３１−２より係止されていた状態から開放されることになるので、扉１０６が筐体１０７から開放可能な状態、すなわち、開錠された状態となる。
【００９９】
尚、扉１０６は、鍵が挿入されていない状態であっても、筐体１０７に対して閉じる操作がなされると、図中の係止部１２４−１，１２４−２の右端部の曲面部が、それぞれ凸部１３１−１，１３１−２に当接されることにより、扉１０６が筐体１０７に閉じられるに従って、係止部１２４−１，１２４−２の右端部が軸１２４−１ｃ，１２４−２ｃを中心として、図中上方向に回転し、押し上げられることになり、最終的に点線で示される係止部１２４−１ｂ，１２４−２ｂの状態となった後、係止部１２４−１，１２４−２の右端部の曲面部の下端部が凸部１３１−１，１３１−２を通過すると、係止部１２４−１ａ，１２４−２ａの状態となり、係止部１２４−１，１２４−２の凹部に凸部１３１−１，１３１−２が嵌まり込む。結果として、係止部１２４−１，１２４−２が、凸部１３１−１，１３１−２に対して係止される状態となる。すなわち、扉１０６は、開放させるために、開錠操作が必要となるが、閉じるときには、鍵を必要としない構成となっている。このため、扉１０６は、筐体１０７に対して、閉じている場合、正規な鍵を用いた開錠操作をしなければ開放できない施錠状態とすることが可能になると共に、保守や点検、その他のメンテナンスなど必要な処理を正規に行うために開錠操作がなされて、開放された後は、鍵を挿入して操作をすることなく、扉１０６を筐体１０７に対して閉める操作をするだけで、施錠することが可能な構成となっている。
【０１００】
扉１０６の上部裏側に設けられた動作制御部１２５は、パチスロ台３の動作状態を監視しており、その動作状態に応じて、獲得メダル情報としてメダルの払い出し数の情報を中央制御部１２７に供給する。また、動作制御部１２５は、メダル詰まりや各種の動作の不具合などを監視し、これらの動作の不具合を検出すると、エラーが発生したことを示すエラー検出信号を中央制御部１２７に供給する。
【０１０１】
筐体１０７の内部下部に設けられた電源部１２８は、図示せぬ外部電源より供給される電力を動作に必要な電流値、または、電圧値に変換して、パチスロ台３全体の動作に必要な各種の機構に供給する。電源部１２８には、電源ボタン１２８ａが設けられており電源をオンオフするとき操作される。
【０１０２】
扉センサ１２９は、扉１０６の開閉状態を検出し、扉１０６が開放状態となっていることを検出した場合、扉開信号を中央制御部１２７に供給する。より詳細には、扉センサ１２９は、ドアスイッチから構成されており、扉１０６が筐体１０７に対して閉じた状態となったとき、扉１０６がドアスイッチの図中の凸部に当接することにより検知でき、扉１０６が筐体１０７に対して閉じていることを認識することができる。逆に、扉センサ１２９は、扉１０６が筐体１０７に対して開放された状態であるときは、ドアスイッチの凸部に扉１０６が当接せず、扉１０６が閉じた状態を検知できないので、扉１０６が開放された状態であることを認識することができ、このとき扉開信号を中央制御部１２７に供給する。
【０１０３】
中央制御部１２７は、パチスロ台３の遊技動作における全般の処理を実行する。中央制御部１２７には、設定操作ボタン１２７ａが設けられており、このボタンを操作することにより、ビッグボーナスや、レギュラーボーナスの抽選による当選確率を決定する設定値が所定の値に設定される。より詳細には、中央制御部１２７は、設定操作ボタン１２７ａにより設定された設定値に基づいて遊技動作における、ビッグボーナスや、レギュラーボーナスの抽選処理を実行すると共に、リールの図柄が揃うと、メダルの払い出しの処理などを実行する。また、中央制御部１２７は、錠センサ１２１より供給される開錠検出信号、リセット信号、扉センサ１２９より供給される扉開信号、および、動作制御部１２５より供給されるエラー検出信号に基づいて、検出結果を外部出力部１３０を介して、パチスロ台３の外部に設けられた台情報通信部１４１からネットワーク２を介して、ホールコンピュータ１に供給する。
【０１０４】
さらに、中央制御部１２７は、開錠検出信号と扉開信号とに基づいて、不正に扉１０６が開放されているか否かを判定し、不正に扉１０６が開放されたと検出した場合、不正開放信号をホールコンピュータ１に供給すると共に、遊技動作を停止させる。また、遊技動作が停止された状態で、リセット信号が入力されると、中央制御部１２７は、遊技動作を再開させる。さらに、中央制御部１２７は、エラー検出信号を検出したときも、遊技動作を停止させ、同様にして、リセット信号が入力されると、遊技動作を再開させる。
【０１０５】
次に、パチスロ台３の遊技動作について説明する。
【０１０６】
パチスロ台３の中央制御部１２７は、図示せぬメダル投入口にメダルが投入され、さらに、図示せぬ所定のスタートレバーが操作されることによりリール１２６−１乃至１２６−３を回動させ、その様子がリール表示部１０２に表示される。各リール１２６−１乃至１２６−３には、表面に図柄が描かれており、３箇所のリール表示部１０２のそれぞれに垂直方向に連続する３個の図柄が表示される。
【０１０７】
リール表示部１０２に表示される回動するリール１２６−１乃至１２６−３の図柄を見ながら遊技者により、ストップボタンからなる操作部１０３が操作されることにより、中央制御部１２７は、対応する位置のリール１２６を停止させる。このとき、停止したリール表示部１０２のそれぞれに表示された図柄が、水平方向、垂直方向、斜右方向、または、斜左方向に揃うとき、中央制御部１２７は、図柄の種類により、所定の枚数のメダルを払い出す。さらに、揃った図柄により、ビッグボーナスや、レギュラーボーナスの状態となると、その後、スタートレバーによりリールを回動させて、所定の位置で操作部を操作させることにより、より高確率で図柄を水平方向、垂直方向、斜右方向、または、斜左方向に揃えられるようにリール１２６の回転を制御する。結果として、ビッグボーナス、または、レギュラーボーナスの状態となると、より多くのメダルが払い出される。
【０１０８】
次に、図８乃至図１５を参照して、錠１０５の構成について説明する。尚、図８は、錠１０５の鍵穴１５１の設けられた方向からの斜視図であり、図９は、錠センサ１２１からの斜視図である。また、図１０は、錠１０５から錠センサ１２１を取り外したときの錠１０５の錠センサ１２１が接続される方向からの斜視図である。図１１は、錠センサ１２１を分解したときの錠１０５の錠センサ１２１が接続される方向からの斜視図である。図１２は、錠センサ１２１の検出部１７４、接続部１７３、および、カム１６１を分解したときの鍵穴１５１の設けられた方向からの斜視図である。図１３は、錠１０５の錠センサ１２１の検出部１７４、接続部１７３、および、カム１６１を分解したときの錠センサ１２１が接続される方向からの斜視図である。図１４は、接続部１７３の凸部１７３ａを正面にした向きにおける側面図である。図１５は、開錠センサ１７４ｂの側面図である。
【０１０９】
図８で示されるように、錠１０５は、扉１０６に対して操作部１０３が設けられた面に対して平行に鍵穴１５１が向けられた状態で、シリンダ１５２の長手方向が扉１０５の表面に対して垂直となるように設けられている。さらに、錠１０５は、図５で示されるように、開錠センサ１２１が扉１０５の背面の回転板１２２にカム１６１の凸部１６１ａが当接するように設けられている。
【０１１０】
鍵穴１５１には、図示せぬ正規の鍵が挿入されると、鍵そのものを図中の矢印Ａ方向、または、矢印Ｂ方向に回転させながら鍵穴１５１を回転させることにより、開錠動作を行うことができ、扉１０６を筐体１０７から開放することが可能となる。尚、正規ではない不正な鍵が挿入された場合、鍵を図中の矢印Ａ方向、または、矢印Ｂ方向に回転させながら鍵穴１５１を回転させることができないので、開錠動作を行うことができず、従って、扉１０６を筐体１０７から開放させることができない。
【０１１１】
図１０で示されるように、錠センサ１２１は、ねじ穴１２１ａ，１２１ｂと錠１０５のシリンダ１５２のねじ穴１５２ａ，１５２ｂのそれぞれを貫通するように、図示せぬネジにより螺合された構造となっている。従って、鍵の交換に伴って、錠１０５のシリンダ１５２を交換する必要が生じても、錠センサ１２１と分離して錠シリンダ１５２のみを交換し、錠センサ１２１をそのまま使用することが可能な構造とされている。
【０１１２】
錠センサ１２１は、図１１で示されるように、シリンダ１５２のカム１６１の穴１６１ｂに接続部１７３の凸部１７３ａが嵌合されている。従って、鍵穴１５１に、図示せぬ鍵が挿入されて、軸（図中の一点鎖線）を中心として回転されると、操作軸１７１の略長楕円形の段部１７２がカム１６１の穴１６１ｃに挿入されているため、その回転がカム１６１に伝達されて、鍵の回転動作に対応してカム１６１が回転する構成となっている。
【０１１３】
また、錠センサ１２１は、ケース１７５内に回転センサ１７４が設けられ、その凹部１７４ａに沿って、略円筒状の接続部１７３が操作軸１７１と同軸（図１１の一点鎖線で示される軸）上に設けられている。接続部１７３は、軸に沿って中空構造となっており、その中空部１７３ｂを、中空部１７３ｂの内径と略同径の略円筒状の固定部位１７６が貫通し、さらに、ピン１７２の凸部１７２ａに嵌合する。固定部位１７６の外径は、ケース１７５の穴１７５ａと略同径であって、穴１７５ａに挿入されることで、ケース１７５に接続部１７３、および、回転センサ１７４を固定し、さらに、ピン１７２を軸（操作軸１７１と同軸）として回転可能な構成としている。
【０１１４】
結果として、図示せぬ鍵が鍵穴１５１に挿入されて、挿入方向を軸（図１１中の一点鎖線）として所定の方向に捻られることによる操作軸１７１の回転に伴って、操作軸１７１の段部１７２に嵌合されているカム１６１が回転することになり、さらに、カム１６１の回転に伴って、接続部１７３が一点鎖線で示される軸を中心として回転する。
【０１１５】
さらに、接続部１７３には、図１４で示されるように、凸部１７３ａの突出方向とは逆方向であって、軸に対して平行に遮光部１７３ｃが設けられている。遮光部１７３ｃは、開錠センサ１７４ｂ、および、リセットセンサ１７４ｃの溝の幅よりも薄い板状のものであり、上述したように、鍵の回転に応じて、接続部１７３が回転するとき、接続部１７３の回転に応じて、軸に対して、所定の距離で、かつ、円状に、その面を軸に対して常に対向する状態で回転移動する。
【０１１６】
検出部１７４には、フォトセンサから構成される開錠センサ１７４ｂとリセットセンサ１７４ｃが設けられている。開錠センサ１７４ｂは、図１５で示されるように、コの字型の構造となっており、一方の凸部には、溝に対向するように発光部１９１が設けられており、常に光を発光している。また、開錠センサ１７４ｂのコの字型の他方の凸部には、溝に対応して、かつ、発光部１９１に対向する位置に受光部１９２が設けられている。尚、リセットセンサ１７４ｃの構造は、開錠センサ１７４ｂの構造と同様であるので、その説明は省略する。
【０１１７】
開錠センサ１７４ｂとリセットセンサ１７４ｃの溝の位置は、接続部１７３の中心位置から遮光部１７３ｃが設けられている距離に対応する位置とされており、このため、遮光部１７３ｃは、接続部１７３の回転に伴って、開錠センサ７４ｂとリセットセンサ１７４ｃのいずれの溝にも入り込むことが可能な構成となっている。
【０１１８】
尚、錠センサ１２１の構成において、開錠センサ１７４ｂとリセットセンサ１７４ｃには、図示しないが、受光部１９２により光が検出できない状態になったとき、それぞれ開錠検出信号、および、リセット信号を中央制御部１２７に出力するための配線、および、発光部１９１、および、受光部１９２を駆動させるための電力を供給する配線が設けられている。
【０１１９】
次に、図１６乃至図１８を参照して、錠センサ１２１の動作について説明する。
【０１２０】
通常、接続部１７３は、図１６で示されるように、検出部１７４に設けられた開錠センサ１７４ｂとリセットセンサ１７４ｃの設けられた位置の略中央位置に、遮光部１７３ｃが位置するように構成されている。
【０１２１】
図示せぬ鍵が、鍵穴１５１に挿入されて矢印Ｂ方向に回転され、いわゆる開錠操作がなされると、カム１６１が矢印Ｂ方向に回転し、この回転に伴って接続部１７３の凸部１７３ａに矢印Ｂ方向の回転が伝達される。さらに、凸部１７３ａに伝達された回転に基づいて、図１７で示されるように、接続部１７３が矢印Ｂ方向に回転する。このとき、接続部１７３の回転に伴って、遮光部１７３ｃも軸に対して矢印Ｂ方向に移動して、開錠センサ１７４ｂの溝に入り込む。結果として、遮光部１７３ｃが、開錠センサ１７４ｂの発光部１９１から発せられた光を受光部１９２に対して遮光することになるため、開錠センサ１７４ｂの受光部１９２は、光を検出することができないことになる。受光部１９２は、光が検出できない状態のとき、開錠操作がなされたことを示す、開錠検出信号を中央制御部１２７に出力する。
【０１２２】
このとき、カム１６１の凸部１６１ａが矢印Ｂ方向に回転するのに伴って、支持棒１２３が、支持棒１２３ａの状態から支持棒１２３ｂの状態になり、係止部１２４−１，１２４−２を、図６で示される係止部１２４−１ａ，１２４−２ａの状態から、係止部１２４−１ｂ，１２４−２ｂの状態に変化させることにより、係止部１２４−１，１２４−２が、筐体１０７の内部に設けられた凸部１３１−１，１３１−２から開放されることになり、扉１０６が筐体１０７から開放可能な状態、すなわち、開錠された状態となる。
【０１２３】
一方、図示せぬ鍵が、鍵穴１５１に挿入されて矢印Ａ方向に回転され、いわゆるリセット操作がなされると、カム１６１が矢印Ａ方向に回転し、この回転に伴って接続部１７３の凸部１７３ａに矢印Ａ方向の回転が伝達される。さらに、凸部１７３ａに伝達された回転に基づいて、図１８で示されるように、接続部１７３が矢印Ａ方向に回転する。このとき、接続部１７３の回転に伴って、遮光部１７３ｃも軸に対して矢印Ａ方向に移動して、リセットセンサ１７４ｃの溝に入り込む。結果として、遮光部１７３ｃが、リセットセンサ１７４ｃの発光部１９１から発せられた光を受光部１９２に対して遮光することになるため、リセットセンサ１７４ｃの受光部１９２は、光を検出することができないことになる。リセットセンサ１７４ｃの受光部１９２は、光が検出できない状態のとき、リセット操作がなされたことを示す、リセット信号を中央制御部１２７に出力する。
【０１２４】
このとき、カム１６１の凸部１６１ａが矢印Ａ方向に回転するが、凸部１６１ａにより発生する力の作用は、支持棒１２３に対しては、伝達されない構造となっている（カム１６１が矢印Ｂ方向に回転した場合、カム１６１の凸部１６１ａは、回転板１２２を回転させて、支持棒１２３を上方向に移動させるが、矢印Ａ方向に回転するとき、カム１６１の凸部１６１ａは、回転板１２２を回転させない構造となっている）ので、係止部１２４−１，１２４−２は、図６で示される係止部１２４−１ａ，１２４−２ａの状態のままとなり、筐体１０７の内部に設けられた凸部１３１−１，１３１−２により係止されたままとなるので、扉１０６は筐体１０７から開放不能な状態、すなわち、施錠された状態のままとなる。
【０１２５】
以上のように、本発明の錠センサ１２１によれば、正規な鍵が使用されて、接続部１７３が矢印Ｂ方向に回転させられなければ、開錠センサ１７４ｂの溝に、遮光部１７３ｃが、入り込まないことになるので、正規の鍵を用いずに、例えば、カム１６１の凸部１６１ａ以外の操作により、係止部１２４−１，１２４−２を直接操作するなどして、係止部１２４−１ａ，１２４−２ａの状態から係止部１２４−１ｂ，１２４−２ｂの状態に動作させることによる不正な開錠操作と、正規の鍵を使用した正規の開錠操作を区別して、正規な開錠操作のみを開錠操作として認識することができる。
【０１２６】
また、同様にして、正規な鍵が使用されて、接続部１７３が矢印Ａ方向に回転させられなければ、リセットセンサ１７４ｃの溝に、遮光部１７３が入り込まないことになるので、正規な鍵を用いずに、リセット操作を実行できない構成とすることが可能となる。
【０１２７】
次に、図１９のフローチャートを参照して、パチスロ台３による動作監視処理について説明する。
【０１２８】
ステップＳ１において、中央制御部１２７は、動作制御部１２５よりエラー検出信号が検出されたか、または、扉センサ１２９より扉開信号が検出されたか否かに基づいて、エラーが検出されたか否かを判定する。例えば、メダル詰まりやその他の動作上のエラーが発生した場合、動作制御部１２５は、エラー検出信号を中央制御部１２７に出力することになるので、このとき、中央制御部１２７は、エラー検出信号に基づいて、エラーが検出されたと判定し、その処理は、ステップＳ２に進む。
【０１２９】
ステップＳ２において、中央制御部１２７は、扉センサ１２９より扉開信号が検出されるか、すなわち、扉１０６が筐体１０７より開放された状態となっているか否かを判定し（すなわち、エラーの種類が扉開信号によるものであるか否かを判定し）、例えば、扉開信号が供給されていない、すなわち、扉１０６が筐体１０７に対して閉じた状態であると判定された場合、その処理は、ステップＳ３に進む。
【０１３０】
ステップＳ３において、中央制御部１２７は、外部出力部１３０を制御して、台情報通信部１４１よりホールコンピュータ１に、自らを識別する情報と共にエラー検出信号を出力させる。
【０１３１】
ステップＳ４において、中央制御部１２７は、遊技動作を停止させる。すなわち、中央制御部１２７は、リール１２６−１乃至１２６−３を回転できない状態にすると共に、動作制御部１２５を制御して、照明部１０１の照明状態をエラーが発生していることを示す状態にさせる。この処理により、中央制御部１２７は、遊技者に対してエラーが発生していることを提示すると共に、ホール係員に対しても、このパチスロ台３がエラー状態であることを提示する。さらに、中央制御部１２７は、動作制御部１２５を制御して、例えば、音声などにより遊技者、および、ホール係員に対してエラー状態を提示するようにしても良い。
【０１３２】
ステップＳ５において、中央制御部１２７は、錠センサ１２１よりリセット信号が供給されたか、すなわち、ホール係員により正規の鍵を使用してリセット操作がなされたか否かを判定し、リセット操作がなされるまで、その処理を繰り返す。すなわち、例えば、エラーが発生している原因が、ホール係員により究明され、さらに、その原因が解消して、最終的に、ホール係員により正規の鍵が鍵穴１５１に挿入されて、図８の矢印Ａ方向に対応する方向に回転させられることにより、錠センサ１２１よりリセット信号が出力されると、中央制御部１２７が、リセット信号を検出したと判定し、その処理は、ステップＳ６に進む。
【０１３３】
ステップＳ６において、中央制御部１２７は、扉センサ１２９より扉開信号が検出されたか否かを判定し、扉開信号が検出されない状態になるまで、その処理を繰り返す。例えば、ホール係員によりエラー解除のための所定の操作がなされて、扉１０６が、筐体１０７に対して閉じられた場合、扉センサ１２９は、扉開信号の出力を停止することになるので、この場合、中央制御部１２７は、扉センサ１２９より扉開信号を検出しないことになるので、その処理は、ステップＳ７に進む。
【０１３４】
ステップＳ７において、中央制御部１２７は、外部出力部１３０を制御して、台情報通信部１４１よりホールコンピュータ１に、自らを識別する情報と共にリセット信号が検出されたことを通知し、エラー検出信号の出力を停止させ、その処理は、ステップＳ１に戻る。
【０１３５】
ステップＳ２において、扉開信号が検出されている、すなわち、扉１０６が筐体１０７より開放された状態であると判定された場合、ステップＳ８において、中央制御部１２７は、錠センサ１２１より開錠検出信号が検出されたか否か、すなわち、正規の鍵が鍵穴１５１に挿入された後、その鍵が、例えば、図８の矢印Ｂ方向に回転されることにより開錠操作がなされたか否かを判定する。ステップＳ８において、例えば、開錠検出信号が検出されていない、すなわち、正規の鍵が使用されて、開錠操作がなされていないと判定された場合、その処理は、ステップＳ９に進む。
【０１３６】
すなわち、中央制御部１２７は、開錠検出信号が検出されずに、扉開信号が検出されると言うことは、正規な鍵を使用せずに、何らかの不正な方法で扉１０６が開放されているとみなす。
【０１３７】
ステップＳ９において、中央制御部１２７は、外部出力部１３０を制御して、台情報通信部１４１よりホールコンピュータ１に、自らを識別する情報と共に扉１０６が不正開放されていることを示す不正開放信号を出力させる。
【０１３８】
ステップＳ１０において、中央制御部１２７は、遊技動作を停止させる。すなわち、中央制御部１２７は、リール１２６−１乃至１２６−３を回転できない状態にすると共に、動作制御部１２５を制御して、照明部１０１の照明状態を不正開放が発生していることを示す状態にさせる。この処理により、中央制御部１２７は、遊技者に対して扉１０６が不正開放状態になっていることを提示すると共に、ホール係員に対しても、このパチスロ台３が扉１０６が不正開放状態になっていることを提示する。さらに、中央制御部１２７は、動作制御部１２５を制御して、例えば、音声などにより遊技者、および、ホール係員に対して扉１０６が不正開放状態になっていることを提示するようにしても良い。
【０１３９】
ステップＳ１１において、中央制御部１２７は、錠センサ１２１よりリセット信号が供給されたか、すなわち、ホール係員により正規の鍵を使用してリセット操作がなされたか否かを判定し、リセット操作がなされるまで、その処理を繰り返す。すなわち、例えば、扉１０６の不正開放として検出されている原因が、ホール係員により究明され、さらに、その原因が解消して、最終的に、ホール係員により正規の鍵が鍵穴１５１に挿入されて、図８の矢印Ａ方向に対応する方向に捻られる（回転させられる）ことにより、錠センサ１２１よりリセット信号が出力されて、中央制御部１２７が、リセット信号を検出したと判定した場合、その処理は、ステップＳ１２に進む。
【０１４０】
ステップＳ１２において、中央制御部１２７は、扉センサ１２９より扉開信号が検出されたか否かを判定し、扉開信号が検出されない状態になるまで、その処理を繰り返す。例えば、ホール係員により扉１０６の不正開放として検出されないための所定の操作がなされて、扉１０６が、筐体１０７に対して閉じられた場合、扉センサ１２９は、扉開信号の出力を停止することになるので、この場合、中央制御部１２７は、扉センサ１２９より扉開信号を検出しないことになるので、その処理は、ステップＳ１３に進む。
【０１４１】
ステップＳ１３において、中央制御部１２７は、外部出力部１３０を制御して、台情報通信部１４１よりホールコンピュータ１に、自らを識別する情報と共にリセット信号が検出されたことを通知し、不正開放信号の出力を停止させ、その処理は、ステップＳ１に戻る。
【０１４２】
ステップＳ１において、エラー検出信号が検出されなかった場合、ステップＳ１４において、中央制御部１２７は、扉センサ１２９より扉開信号が検出されるか、すなわち、扉１０６が筐体１０７より開放された状態となっているか否かを判定し、例えば、扉開信号が供給されていない、すなわち、扉１０６は、筐体１０７に対して閉じた状態であると判定された場合、その処理は、ステップＳ１に戻る。
【０１４３】
ステップＳ１４において、扉開信号が検出された場合、すなわち、扉１０６が開放状態となっていると判定された場合、ステップＳ１５において、中央制御部１２７は、錠センサ１２１より開錠検出信号が検出されたか否か、すなわち、正規の鍵が鍵穴１５１に挿入された後、開錠操作がなされたか否かを判定する。ステップＳ１５において、例えば、開錠検出信号が検出されていない、すなわち、正規の鍵が使用されて、開錠操作がなされていないと判定された場合、その処理は、ステップＳ９に進む。すなわち、中央制御部１２７は、開錠検出信号が検出されずに、扉開信号が検出されると言うことは、正規な鍵を使用せずに、何らかの不正な方法で扉１０６が開放されているとみなす。
【０１４４】
ステップＳ１５において、開錠検出信号が検出されたと判定された場合、その処理は、ステップＳ１４に戻る。すなわち、扉１０６が開放されるとき、開錠検出信号が検出されていれば、正規の鍵を使用して開錠操作を行った後、扉１０６が開放された状態で、保守や点検などが行われていることが考えられるので、その間は、ステップＳ１４，Ｓ１５の処理が繰り返され、保守や点検などが終了し、扉１０６が閉められると、ステップＳ１の処理に戻ることになる。
【０１４５】
ステップＳ８において、開錠操作がなされたと判定された場合、その処理は、ステップＳ３に戻る。すなわち、エラーが検出されたのち、正規な鍵が使用されて、開錠操作が実行され、エラー解除の操作が開始されているものとみなす。
【０１４６】
以上の処理により、正規の鍵を使用した開錠操作がなされたか、正規な鍵を使用せずに開錠操作がなされたか否かが識別されることにより、動作状態を検出することが可能となり、不正な扉１０６の開放動作が検出された時点で、遊技状態を停止させることができ、さらに、リセット操作がなされるまで、遊技を継続することができないことになるので、これまでのように、不正な開錠操作により不正に設定値が設定操作ボタン１２７ａにより操作された後（抽選により高い確率で、レギュラーボーナス、または、ビッグボーナスが当選するような設定に変更されてしまうといった操作が不正になされた後）、そのままの状態で遊技を継続できないようにさせることが可能となる（不正な操作がなされた後に、そのパチスロ台３での操作を継続させないようにすることが可能となる）。また、不正な扉１０６の開放操作がなされる度に、照明部１０１などによりホール係員に対して、不正開放が発生していることを提示することが可能となるので、仮に、遊技者が繰り返し不正開放操作を行う技術を持っていたとしても、ホール係員によりリセット操作がなされない限り、遊技を継続することができないので、不正開放操作を抑止することが可能となる。
【０１４７】
次に、図２０のフローチャートを参照して、ホールコンピュータによるパチスロ台の動作監視処理について説明する。
【０１４８】
ステップＳ３１において、信号判定部６１は、通信部２９を制御して、不正開放信号が検出されたか否かを判定する。ステップＳ３１において、例えば、不正開放信号が、検出されなかったと判定された場合、ステップＳ３２において、信号判定部６１は、エラー検出信号を検出したか否かを判定する。例えば、図１９のフローチャートにおけるステップＳ７の処理により、エラー検出信号が、パチスロ台３より送信されてきていた場合、エラー検出信号を検出したと判定し、その処理は、ステップＳ３３に進む。
【０１４９】
ステップＳ３３において、信号判定部６１は、エラー検出信号を検出したことを示す情報を管理情報生成部６３に供給すると共に、位置検出部６２が、そのエラー検出信号と共に送信されてきた、エラー検出信号を送信してきたパチスロ台３の位置を特定する情報を検出し、検出した位置情報を管理情報生成部６３に供給する。
【０１５０】
ステップＳ３４において、管理情報生成部６３は、エラー検出信号と、エラー検出信号を送信してきたパチスロ台３の位置の情報を画像生成部６６に供給して、エラーが発生しているパチスロ台３を示す表示画面を生成させ、ディスプレイ６７に表示させる。すなわち、例えば、通常、エラー検出信号や不正開放信号が検出されていない状態の場合、図２１で示されるような表示画面が生成されて、ディスプレイ６７に表示される。すなわち、図２１においては、ホール内のパチスロ台の配置が示されており、表示画面の上部に、ホール係員が控えるカウンタが示され、番号１乃至１００で示される各マスがパチスロ台である。従って、この例においては、１００台のパチスロ台３の動作状態が表示されることになる。
【０１５１】
例えば、エラー検出信号が、番号２５で示されるパチスロ台３より送信されてきた場合、図２２で示されるように、番号２５で示されるマスを格子状の背景色で表示することにより、ディスプレイ６７を監視するだけで、ホール内の番号２５で示されるパチスロ台でエラーが発生していることを認識することが可能となる。
【０１５２】
ステップＳ３５において、管理情報生成部６３は、エラー検出信号と、エラー検出信号を送信してきたパチスロ台３の位置の情報をアナウンス情報生成部６４に供給して、エラーが発生しているパチスロ台３を示すアナウンス情報をスピーカ６５より音声により出力させる。
【０１５３】
すなわち、例えば、図２２で示されるように、番号２５で示されるパチスロ台でエラーが発生している場合、アナウンス情報生成部６４は、音声情報を合成し、「２５番台でエラーが発生しました」といったアナウンス情報を生成して、この音声情報をスピーカ６５より音声で出力させる。
【０１５４】
この処理により、ディスプレイ６７を監視することができず、その他の業務に掛かる処理を実行しているホール係員にも、どの位置にエラーが発生しているパチスロ台が存在するかを提示することが可能となる。
【０１５５】
ステップＳ３６において、管理情報生成部６３は、エラー検出信号が検出されたパチスロ台３の情報を記憶部２８にそれぞれ対応付けて記憶させ、その処理は、ステップＳ３１に戻る。すなわち、この処理により、記憶部２８に、エラー検出信号が検出されたパチスロ台３の情報を蓄積させることが可能となり、例えば、繰り返しエラーが発生するパチスロ台を統計的に確認することが可能となる。
【０１５６】
ステップＳ３１において、例えば、図１９のフローチャートにおけるステップＳ９の処理により、不正開放信号がパチスロ台３より送信されてきて、不正開放信号が検出された場合、ステップＳ３７において、信号判定部６１は、不正開放信号を検出したことを示す情報を管理情報生成部６３に供給すると共に、位置検出部６２が、その不正開放信号と共に送信されてきた、不正開放信号を送信してきたパチスロ台３の位置を特定する情報を検出し、検出した位置情報を管理情報生成部６３に供給する。
【０１５７】
ステップＳ３８において、管理情報生成部６３は、不正開放信号と、不正開放信号を送信してきたパチスロ台３の位置の情報を画像生成部６６に供給して、不正開放が発生しているパチスロ台３を示す表示画面を生成させ、ディスプレイ６７に表示させる。
【０１５８】
例えば、不正開放信号が、番号６６で示されるパチスロ台３より送信されてきた場合、図２２で示されるように、番号６６で示されるマスを斜線状の背景色で表示することにより、ディスプレイ６７を監視するだけで、ホール内の番号６６で示されるパチスロ台で不正開放が発生していることを認識することが可能となる。
【０１５９】
ステップＳ３９において、管理情報生成部６３は、不正開放信号と、不正開放信号を送信してきたパチスロ台３の位置の情報をアナウンス情報生成部６４に供給して、不正開放が発生しているパチスロ台３を示すアナウンス情報をスピーカ６５より音声により出力させる。
【０１６０】
すなわち、例えば、図２２で示されるように、番号６６で示されるパチスロ台で不正開放が発生している場合、アナウンス情報生成部６４は、音声情報を合成し、「６６番台で不正開放が発生しました」といったアナウンス情報を生成して、この音声情報をスピーカ６５より音声で出力させる。
【０１６１】
この処理により、ディスプレイ６７を監視することができず、その他の業務に掛かる処理を実行しているホール係員にも、どの位置に不正開放が発生しているパチスロ台が存在するかを提示することが可能となる。
【０１６２】
ステップＳ４０において、管理情報生成部６３は、不正開放信号が検出されたパチスロ台３の情報を記憶部２８にそれぞれ対応付けて記憶させ、その処理は、ステップＳ３１に戻る。すなわち、この処理により、記憶部２８に、エラー検出信号が検出されたパチスロ台３の情報を蓄積させることが可能となり、例えば、不正開放による犯罪行為などが実施されていたような場合、その記録を残しておくことが可能になると共に、不正開放による犯罪が起こされやすいパチスロ台３の位置を統計的に確認することも可能となり、再犯を防止する上でも対策を講じ易くすることが可能となる。
【０１６３】
ステップＳ３２において、エラー検出信号が検出されなかった場合、ステップＳ４１において、信号判定部６１が、リセット信号が検出されたか否かを判定し、例えば、図１９のステップＳ７またはＳ１３の処理により、リセット信号が通知されてきたとき、リセット信号が検出されたと判定され、その処理は、ステップＳ４２に進む。
【０１６４】
ステップＳ４２において、信号判定部６１は、リセット信号を検出したことを示す情報を管理情報生成部６３に供給すると共に、位置検出部６２が、そのリセット信号と共に送信されてきた、リセット信号を送信してきたパチスロ台３の位置を特定する情報を検出し、検出した位置情報を管理情報生成部６３に供給する。
【０１６５】
ステップＳ４３において、管理情報生成部６３は、位置検出部６２より供給された位置情報に基づいて、リセット信号を送信してきたパチスロ台３からエラー検出信号が検出されているか否か（エラー検出信号が検出された後、リセット信号が送信されてきていないパチスロ台３であるか否か）を判定し、エラー検出信号が検出されていると判定された場合、すなわち、リセット信号が、例えば、図１９のフローチャートにおけるステップＳ７の処理により送信されてきたリセット信号であると判定された場合、ステップＳ４４において、管理情報生成部６３は、リセット信号と、リセット信号を送信してきたパチスロ台３の位置の情報を画像生成部６６に供給して、エラーが発生していたパチスロ台３を示す表示画面から、エラーが発生していない状態の表示画面を生成させ、ディスプレイ６７に表示させ、その処理は、ステップＳ３１に戻る。
【０１６６】
例えば、リセット信号が、エラー検出信号が検出された番号２５で示されるパチスロ台３より送信されてきた場合、図２２で示される状態から、図２１で示されるように、番号２５で示されるマスを無色の背景色で表示することにより、ディスプレイ６７を監視するだけで、ホール内の番号２５で示されるパチスロ台でエラー検出信号が出力されている状態から、リセット操作により通常の状態に戻ったことを認識することが可能となる。
【０１６７】
ステップＳ４３において、管理情報生成部６３は、位置検出部６２より供給された位置情報に基づいて、リセット信号を送信してきたパチスロ台３から不正開放信号が検出されているか否か（不正開放信号が検出された後、リセット信号が送信されてきていないパチスロ台３であるか否か）を判定し、不正開放信号が検出されていると判定された場合、すなわち、リセット信号が、例えば、図１９のフローチャートにおけるステップＳ１３の処理により送信されてきたリセット信号であると判定された場合、ステップＳ４５において、管理情報生成部６３は、リセット信号と、リセット信号を送信してきたパチスロ台３の位置の情報を画像生成部６６に供給して、不正開放が発生していたパチスロ台３を示す表示画面から、不正開放が発生していない状態の表示画面を生成させ、ディスプレイ６７に表示させる。
【０１６８】
例えば、リセット信号が、不正開放信号が検出された番号６６で示されるパチスロ台３より送信されてきた場合、図２２で示される状態から、図２１で示されるように、番号６６で示されるマスを無色の背景色で表示することにより、ディスプレイ６７を監視するだけで、ホール内の番号６６で示されるパチスロ台で不正開放信号が出力されている状態から、リセット操作により通常の状態に戻ったことを認識することが可能となる。
【０１６９】
以上によれば、扉の不正な開放を正確に検出することが可能になると共に、不正な遊技を継続させないようにさせることが可能となる。尚、以上の例においては、パチスロ台を遊技機として管理する例について説明してきたが、遊技機であれば、その他の遊技機であってもよく、例えば、パチンコ台やゲーム機などであってもよく、さらには、扉の不正な開放を検出するという機能については、扉が設けられているものであればよく、例えば、ATM（automated teller machine）や自動販売機などであってもよい。
【０１７０】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行させることが可能な、例えば汎用のパーソナルコンピュータなどに記録媒体からインストールされる。
【０１７１】
図２３は、図７の中央制御部１２７の電気的な内部構成をソフトウェアにより実現する場合のパーソナルコンピュータの一実施の形態の構成を示している。パーソナルコンピュータのCPU５０１は、パーソナルコンピュータの全体の動作を制御する。また、CPU５０１は、バス５０４および入出力インタフェース５０５を介してユーザからキーボードやマウスなどからなる入力部５０６から指令が入力されると、それに対応してROM(Read Only Memory)５０２に格納されているプログラムを実行する。あるいはまた、CPU５０１は、ドライブ５１０に接続された磁気ディスク１２１、光ディスク５２２、光磁気ディスク５２３、または半導体メモリ５２４から読み出され、記憶部５０８にインストールされたプログラムを、RAM(Random Access Memory)５０３にロードして実行する。これにより、上述した図７の中央制御部１２７の機能が、ソフトウェアにより実現されている。さらに、CPU５０１は、通信部５０９を制御して、外部と通信し、データの授受を実行する。
【０１７２】
プログラムが記録されている記録媒体は、図２３に示すように、コンピュータとは別に、ユーザにプログラムを提供するために配布される、プログラムが記録されている磁気ディスク５２１（フレキシブルディスクを含む）、光ディスク５２２（CD-ROM(Compact Disc-Read Only Memory)，DVD（Digital Versatile Disk）を含む）、光磁気ディスク５２３、もしくは半導体メモリ５２４などよりなるパッケージメディアにより構成されるだけでなく、コンピュータに予め組み込まれた状態でユーザに提供される、プログラムが記録されているROM５０２や、記憶部５０８に含まれるハードディスクなどで構成される。
【０１７３】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１７４】
また、本明細書において、システムとは、複数の装置により構成される装置全体を表すものである。
【図面の簡単な説明】
【０１７５】
【図１】本発明を適用した遊技管理システムの一実施の形態の構成を示す図である。
【図２】図１のホールコンピュータの構成を示すブロック図である。
【図３】図２のホールコンピュータにより実現される機能を示す機能ブロック図である。
【図４】図１のパチスロ台の一実施の形態の構成を示す図である。
【図５】図１のパチスロ台の内部の構成を示す図である。
【図６】図１のパチスロ台の内部の構成を示す図である。
【図７】図５のパチスロ台により実現される機能を示す機能ブロック図である。
【図８】パチスロ台の錠の構成を示す斜視図である。
【図９】パチスロ台の錠の構成を示す斜視図である。
【図１０】パチスロ台の錠の構成を示す分解斜視図である。
【図１１】パチスロ台の錠の構成を示す分解斜視図である。
【図１２】パチスロ台の錠の構成を示す分解斜視図である。
【図１３】パチスロ台の錠の構成を示す分解斜視図である。
【図１４】接続部の構成を示す図である。
【図１５】開錠センサの構成を示す図である。
【図１６】錠センサの動作を説明する図である。
【図１７】錠センサの動作を説明する図である。
【図１８】錠センサの動作を説明する図である。
【図１９】パチスロ台による動作監視処理を説明するフローチャートである。
【図２０】ホールコンピュータによる動作監視処理を説明するフローチャートである。
【図２１】図３の画像生成部により生成される画像の例を示す図である。
【図２２】図３の画像生成部により生成される画像の例を示す図である。
【図２３】記録媒体を説明する図である。
【符号の説明】
【０１７６】
１  ホールコンピュータ
３，３−１乃至３−３  パチスロ台
１１  表示器
６１  信号判定部
６２  位置検出部
６３  管理情報生成部
６４  アナウンス情報生成部
６６  画像生成部部
１０６  扉
１０７  筐体
１２１  錠センサ
１２３  支持棒
１２４，１２４−１，１２４−２  係止部
１２５  動作制御部
１２７  中央制御部
１２９  扉センサ
１３０  外部送信部
１５１  鍵穴
１５２  シリンダ
１６１  カム
１６１ａ  凸部
１７３  接続部
１７３ａ  凸部
１７３ｃ  遮光部
１７４  検出部
１７４ｂ  開錠センサ
１７４ｃ  リセットセンサ
１９１  発光部
１９２  フォトセンサ
【図１】
2005296036.tif 000003
【図２】
2005296036.tif 000004
【図３】
2005296036.tif 000005
【図４】
2005296036.tif 000006
【図５】
2005296036.tif 000007
【図６】
2005296036.tif 000008
【図７】
2005296036.tif 000009
【図８】
2005296036.tif 000010
【図９】
2005296036.tif 000011
【図１０】
2005296036.tif 000012
【図１１】
2005296036.tif 000013
【図１２】
2005296036.tif 000014
【図１３】
2005296036.tif 000015
【図１４】
2005296036.tif 000016
【図１５】
2005296036.tif 000017
【図１６】
2005296036.tif 000018
【図１７】
2005296036.tif 000019
【図１８】
2005296036.tif 000020
【図１９】
2005296036.tif 000021
【図２０】
2005296036.tif 000022
【図２１】
2005296036.tif 000023
【図２２】
2005296036.tif 000024
【図２３】
2005296036.tif 000025